(57)【要約】【課題】複数の異なる焦点径による複数の異なる拡大率の拡大撮影ができるＸ線画像撮影装置で適宜、拡大率や焦点径を変えて拡大撮影しても、得られたＸ線画像が、どのような拡大率、焦点径で撮影されたものであるかが分かるＸ線画像撮影システム及びプログラムを提供する。【解決手段】複数の異なる拡大率で拡大撮影が可能なＸ線画像撮影装置１と、Ｘ線画像撮影装置１で撮影されたＸ線画像のデータと、拡大撮影における拡大率を特定可能な撮影条件情報とを対応付ける制御装置７１と、制御装置７１により対応付けられたＸ線画像のデータと拡大率を特定可能な撮影条件情報とを対応付けて保存するデータサーバ８２と、を有している。【選択図】図１
2008259693.tif 000002
【特許請求の範囲】
【請求項１】
複数の異なる拡大率で拡大撮影が可能なＸ線画像撮影装置と、
前記Ｘ線画像撮影装置で撮影されたＸ線画像のデータと、前記拡大撮影における拡大率を特定可能な撮影条件情報とを対応付ける対応化手段と、
前記対応化手段により対応付けられた前記Ｘ線画像のデータと前記拡大率を特定可能な撮影条件情報とを対応付けて保存するデータ保存手段と、を有していることを特徴とするＸ線画像撮影システム。
【請求項２】
被写体に関する被写体情報を入力する被写体情報入力手段と、
前記被写体情報入力手段により入力された被写体情報に応じて、前記拡大率を特定可能な撮影条件情報を選択する撮影条件情報選択手段と、
を有していることを特徴とする請求項１に記載のＸ線画像撮影システム。
【請求項３】
複数の異なる拡大率で拡大撮影が可能であり、撮影されたＸ線画像のデータと前記拡大撮影の際の拡大率を特定可能な撮影条件情報とを出力するＸ線画像撮影装置と、
前記Ｘ線画像撮影装置で撮影されたＸ線画像のデータと、前記拡大率を特定可能な撮影条件情報とを対応付ける対応化手段と、
前記対応化手段により対応付けられた前記Ｘ線画像のデータと前記拡大率を特定可能な撮影条件情報とを対応付けて保存するデータ保存手段と、を有していることを特徴とするＸ線画像撮影システム。
【請求項４】
被写体に関する被写体情報を入力する被写体情報入力手段を有し、
前記Ｘ線画像撮影装置は、前記被写体情報入力手段により入力された被写体情報に応じた条件で、前記拡大撮影を行うとともに、前記撮影されたＸ線画像のデータと前記拡大撮影の際の拡大率を特定可能な撮影条件情報とを出力するものであることを特徴とする請求項３に記載のＸ線画像撮影システム。
【請求項５】
被写体位置を検出する被写体位置検出手段を有し、
前記Ｘ線画像撮影装置は、前記被写体位置検出手段により検出された被写体位置に応じた条件で、前記拡大撮影を行うとともに、前記撮影されたＸ線画像のデータと前記拡大撮影の際の拡大率を特定可能な撮影条件情報とを出力するものであることを特徴とする請求項３に記載のＸ線画像撮影システム。
【請求項６】
前記被写体情報が、被写体の撮影部位に関する撮影部位情報を含んでいることを特徴とする請求項２又は請求項４に記載のＸ線画像撮影システム。
【請求項７】
前記被写体情報が、被写体の年齢に関する年齢関連情報を含んでいることを特徴とする請求項２、請求項４又は請求項６のいずれか一項に記載のＸ線画像撮影システム。
【請求項８】
前記データ保存手段から、検索により、前記Ｘ線画像のデータとこれに対応する前記拡大率を特定可能な撮影条件情報とを得る検索手段を有していることを特徴とする請求項１から請求項７のいずれか一項に記載のＸ線画像撮影システム。
【請求項９】
前記Ｘ線画像のデータに対応する前記拡大率を特定可能な撮影条件情報を用いて、前記Ｘ線画像の被写体の長さ関連量を計測する計測手段を有していることを特徴とする請求項８に記載のＸ線画像撮影システム。
【請求項１０】
前記Ｘ線画像のデータに対応する前記拡大率を特定可能な撮影条件情報を用いて、前記Ｘ線画像の被写体像を実寸に対して所定倍率で表示する表示手段を有していることを特徴とする請求項８又は請求項９に記載のＸ線画像撮影システム。
【請求項１１】
前記対応化手段は、前記Ｘ線画像撮影装置で撮影されたＸ線画像のデータと、前記拡大率を特定可能な撮影条件情報とを、前記Ｘ線画像の被写体情報と対応付けるものであり、
前記データ保存手段は、前記対応化手段により対応付けられた前記Ｘ線画像のデータと前記被写体情報と前記拡大率を特定可能な撮影条件情報とを対応付けて保存するものであり、
前記検索手段は、前記Ｘ線画像のデータとこれに対応する前記拡大率を特定可能な撮影条件情報と前記被写体情報とを前記データ保存手段から得るものであることを特徴とする請求項７から請求項１０のいずれか一項に記載のＸ線画像撮影システム。 
【請求項１２】
複数の異なる拡大率で拡大撮影が可能なＸ線画像撮影装置で撮影されたＸ線画像のデータと、前記拡大撮影における拡大率を特定可能な撮影条件情報とを対応付ける対応化機能と、
前記対応化機能により対応付けられた前記Ｘ線画像のデータと前記拡大率を特定可能な撮影条件情報とを対応付けて保存するデータ保存機能と、
をコンピュータに実現させることを特徴とするプログラム。
【請求項１３】
被写体に関する被写体情報を入力する被写体情報入力機能と、
前記被写体情報入力機能により入力された被写体情報に応じて、前記拡大率を特定可能な撮影条件情報を選択する撮影条件情報選択機能と、
をさらにコンピュータに実現させることを特徴とする請求項１２に記載のプログラム。
【請求項１４】
複数の異なる拡大率で拡大撮影が可能なＸ線画像撮影装置から出力されたＸ線画像のデータと、前記拡大撮影の際の拡大率を特定可能な撮影条件情報とを対応付ける対応化機能と、
前記対応化機能により対応付けられた前記Ｘ線画像のデータと前記拡大率を特定可能な撮影条件情報とを対応付けて保存するデータ保存機能と、
をコンピュータに実現させることを特徴とするプログラム。
【請求項１５】
被写体に関する被写体情報を入力する被写体情報入力機能と、
前記被写体情報入力機能により入力された被写体情報に応じた条件で、前記拡大撮影を行うように前記Ｘ線画像撮影装置を制御する制御機能と、
前記Ｘ線画像撮影装置で撮影されたＸ線画像のデータと、前記拡大撮影の際の拡大率を特定可能な撮影条件情報とを出力する出力機能と、
をさらにコンピュータに実現させることを特徴とする請求項１４に記載のプログラム。
【請求項１６】
被写体位置を検出する被写体位置検出手段によって検出された被写体位置に応じて、前記拡大撮影を行うように前記Ｘ線画像撮影装置を制御する制御機能と、
前記Ｘ線画像撮影装置で撮影されたＸ線画像のデータと、前記拡大撮影の際の拡大率を特定可能な撮影条件情報とを出力する出力機能と、
をさらにコンピュータに実現させることを特徴とする請求項１４に記載のプログラム。
【請求項１７】
前記被写体情報が、被写体の撮影部位に関する撮影部位情報を含んでいることを特徴とする請求項１３又は請求項１５に記載のプログラム。
【請求項１８】
前記被写体情報が、被写体の年齢に関する年齢関連情報を含んでいることを特徴とする請求項１３、請求項１５又は請求項１７のいずれか一項に記載のプログラム。
【請求項１９】
前記データ保存機能により保存されたデータの中から、検索により、前記Ｘ線画像のデータとこれに対応する前記拡大率を特定可能な撮影条件情報とを得る検索機能をさらにコンピュータに実現させることを特徴とする請求項１２から請求項１８のいずれか一項に記載のプログラム。
【請求項２０】
前記Ｘ線画像のデータに対応する前記拡大率を特定可能な撮影条件情報を用いて、前記Ｘ線画像の被写体の長さ関連量を計測する計測機能をさらにコンピュータに実現させることを特徴とする請求項１９に記載のプログラム。
【請求項２１】
前記Ｘ線画像のデータに対応する前記拡大率を特定可能な撮影条件情報を用いて、前記Ｘ線画像の被写体像を実寸に対して所定倍率で表示手段に表示させる表示制御機能をさらにコンピュータに実現させることを特徴とする請求項１９又は請求項２０に記載のプログラム。
【請求項２２】
前記対応化機能は、前記Ｘ線画像撮影装置で撮影されたＸ線画像のデータと、前記拡大率を特定可能な撮影条件情報とを、前記Ｘ線画像の被写体情報と対応付けるものであり、
前記データ保存機能は、前記対応化機能により対応付けられた前記Ｘ線画像のデータと前記被写体情報と前記拡大率を特定可能な撮影条件情報とを対応付けて保存するものであり、
前記検索機能は、前記データ保存機能により保存されたデータの中から、前記Ｘ線画像のデータとこれに対応する前記拡大率を特定可能な撮影条件情報と前記被写体情報とを得るものであることを特徴とする請求項１８から請求項２１のいずれか一項に記載のプログラム。
【請求項２３】
複数の異なる焦点径で拡大撮影が可能なＸ線画像撮影装置と、
前記Ｘ線画像撮影装置で撮影されたＸ線画像のデータと、前記拡大撮影における焦点径を特定可能な撮影条件情報とを対応付ける対応化手段と、
前記対応化手段により対応付けられた前記Ｘ線画像のデータと前記撮影条件情報とを対応付けて保存するデータ保存手段と、を有していることを特徴とするＸ線画像撮影システム。
【請求項２４】
被写体に関する被写体情報を入力する被写体情報入力手段と、
前記被写体情報入力手段により入力された被写体情報に応じて、前記焦点径を特定可能な撮影条件情報を選択する撮影条件情報選択手段と、を有していることを特徴とする請求項２３に記載のＸ線画像撮影システム。
【請求項２５】
複数の異なる焦点径で拡大撮影が可能であり、撮影されたＸ線画像のデータと前記拡大撮影の際の焦点径を特定可能な撮影条件情報とを出力するＸ線画像撮影装置と、
前記Ｘ線画像撮影装置で撮影されたＸ線画像のデータと、前記焦点径を特定可能な撮影条件情報とを対応付ける対応化手段と、
前記対応化手段により対応付けられた前記Ｘ線画像のデータと前記撮影条件情報とを対応付けて保存するデータ保存手段と、を有していることを特徴とするＸ線画像撮影システム。
【請求項２６】
被写体に関する被写体情報を入カする被写体情報入力手段を有し、
前記Ｘ線画像撮影装置は、前記被写体情報入力手段により入力された被写体情報に応じた条件で、前記拡大撮影を行うとともに、前記撮影されたＸ線画像のデータと前記拡大撮影の際の焦点径を特定可能な撮影条件情報とを出力するものであることを特徴とする請求項２５に記載のＸ線画像撮影システム。
【請求項２７】
前記被写体情報が、被写体の撮影部位に関する撮影部位情報を含んでいることを特徴とする請求項２４又は請求項２６に記載のＸ線画像撮影システム。
【請求項２８】
前記被写体情報が、被写体の年齢に関する年齢関連情報を含んでいることを特徴とする請求項２４、請求項２６又は請求項２７のいずれか一項に記載のＸ線画像撮影システム。
【請求項２９】
前記データ保存手段から、検索により、前記Ｘ線画像のデータとこれに対応する前記焦点径を特定可能な撮影条件情報とを得る検索手段を有することを特徴とする請求項２３から請求項２８のいずれか一項に記載のＸ線画像撮影システム。
【請求項３０】
前記Ｘ線画像のデータに対応する前記焦点径を特定可能な撮影条件情報を用いて、前記Ｘ線画像と、焦点径とを同時に表示できる表示手段を有していることを特徴とする請求項２９に記載のＸ線画像撮影システム。
【請求項３１】
複数の異なる焦点径で拡大撮影が可能なＸ線画像撮影装置で撮影されたＸ線画像のデータと、前記拡大撮影における焦点径を特定可能な撮影条件情報とを対応付ける対応化機能と、
前記対応化機能により対応付けられた前記Ｘ線画像のデータと前記焦点径を特定可能な撮影条件情報とを対応付けて保存するデータ保存機能と、
前記撮影条件情報により決まる焦点径で拡大撮影を行うように前記Ｘ線画像撮影装置を制御する制御機能と、
をコンピュータに実現させることを特徴とするプログラム。
【請求項３２】
被写体に関する被写体情報を入力する被写体情報入力機能と、
前記被写体情報入力機能により入力された被写体情報に応じて、前記拡大撮影における焦点径を特定可能な撮影条件情報を選択する撮影条件情報選択機能と、
をさらにコンピュータに実現させることを特徴とする請求項３１に記載のプログラム。
【請求項３３】
複数の異なる焦点径で拡大撮影が可能なＸ線画像撮影装置から出力されたＸ線画像のデータと前記拡大撮影の際の焦点径を特定可能な撮影条件情報とを対応付ける対応化機能と、
前記対応化機能により対応付けられた前記Ｘ線画像のデータと前記焦点径を特定可能な撮影条件情報とを対応付けて保存するデータ保存機能と、
をコンピュータに実現させることを特徴とするプログラム。
【請求項３４】
被写体に関する被写体情報を入カする被写体情報入力機能と、
前記被写体情報入力機能により入力された被写体情報に応じた条件で、前記拡大撮影を行うように前記Ｘ線画像撮影装置を制御する制御機能と、
前記Ｘ線画像撮影装置で撮影されたＸ線画像のデータと、前記拡大撮影の際の焦点径を特定可能な撮影条件情報とを出力する出力機能と、
をさらにコンピュータに実現させることを特徴とする請求項３３に記載のプログラム。
【請求項３５】
前記被写体情報が、被写体の撮影部位に関する撮影部位情報を含んでいることを特徴とする請求項３２又は請求項３４に記載のプログラム。
【請求項３６】
前記被写体情報が、被写体の年齢に関する年齢関連情報を含んでいることを特徴とする請求項３２、請求項３４又は請求項３５のいずれか一項に記載のプログラム。
【請求項３７】
前記データ保存機能により保存されたデータの中から、検索により、前記Ｘ線画像のデータとこれに対応する前記焦点径を特定可能な撮影条件情報とを得る検索機能をさらにコンピュータに実現させることを特徴とする請求項３１から請求項３６のいずれか一項に記載のプログラム。
【請求項３８】
前記Ｘ線画像のデータに対応する前記焦点径を特定可能な撮影条件情報を用いて、前記Ｘ線画像と、焦点径とを同時に表示手段に表示させる表示制御機能をさらにコンピュータに実現させることを特徴とする請求項３７に記載のプログラム。
【発明の詳細な説明】
【技術分野】
【０００１】
本発明はＸ線画像撮影システム及びプログラムに係り、特に拡大撮影が可能なＸ線画像撮影システム及びプログラムに関するものである。
【背景技術】
【０００２】
従来、拡大撮影は、被写体と装置との相対的な位置を操作者が適宜調整して行われており、装置側には拡大率のデータが残らない装置構成となっていた。このような装置では、操作者が拡大率を求められる情報を記録しないと、事後にどのような拡大率で撮影を行ったのかが分からなくなり、Ｘ線画像の示すサイズが不明になる問題がある。
一方、コニカミノルタエムジー株式会社製の撮影装置「Mermaid(TR)」は、等倍撮影と拡大撮影とを選択して撮影可能であるが、拡大撮影は１種類の拡大率による拡大撮影のみができる乳房撮影用装置である。このため、拡大撮影をしたという情報だけで、拡大率の情報が得られるシステムになっている。
【０００３】
しかし、我々が鋭意検討した結果、特に、より汎用性が求められる撮影装置では、複数の異なる拡大率による拡大撮影ができる装置が有用であることが分かった。すなわち、大きさが小さく、厚みも薄い被写体の場合には、比較的小焦点で高拡大率の撮影を行った方が、鮮鋭な画像が得られ、好ましい。また、大きさが大きく、厚みが厚い被写体の場合には、比較的大焦点で低拡大率の撮影を行った方が、被写体によるＸ線吸収が多くてもＳ／Ｎが高く、被写体全体を一度に撮影でき、拡大撮影によるボケよりも位相コントラスト効果が強くなるため、好ましい。このため、様々な被写体に対応するためには、拡大率の異なる拡大撮影ができることが望ましい。
【０００４】
しかし、単に、拡大撮影したという情報を残すだけでは、被写体に応じて拡大率を変えると、どのような拡大率で撮影したかが事後に分からなくなり、Ｘ線画像の示すサイズ（実寸がどの程度か等）が不明になる問題があることが分かった。
【０００５】
ところで、従来、拡大撮影は、焦点径が固定されたＸ線管で行われてきた。また、焦点径を変えられるＸ線管で撮影する場合にも、操作者が焦点径を適宜調整して撮影が行われており、装置側に焦点径のデータが残らない装置構成となっていた。このような装置では、操作者が焦点径を記録しないと、どのような焦点径で撮影を行ったのかが事後に分からなくなり、Ｘ線画像を撮影した焦点径が不明になる問題がある。
【０００６】
また、シンクロトロン放射光を用いて、所望のエッジ強調度合いに応じて、焦点サイズ（焦点径）を変更して撮影することが特許文献１に記載されている。しかし、変更した焦点サイズの情報を残すことは記載されていない。
【０００７】
我々が鋭意検討した結果、単に、拡大撮影したという情報を残すだけでは、焦点径を変えると、事後に医師がＸ線画像で診断する際に、焦点径が不明になり、焦点径の大きさに依存するボケの影響がどの程度含まれたＸ線画像か判別が困難になる問題があることが分かった。
【特許文献１】特開２００３―１１４２０２
【発明の開示】
【発明が解決しようとする課題】
【０００８】
本発明の目的は、複数の異なる焦点径による複数の異なる拡大率の拡大撮影ができるＸ線画像撮影装置で適宜、拡大率や焦点径を変えて拡大撮影しても、得られたＸ線画像が、どのような拡大率、焦点径で撮影されたものであるかが分かるＸ線画像撮影システム及びプログラムを提供することを目的とする。
【課題を解決するための手段】
【０００９】
上記課題を解決するため、請求項１に記載の発明は、Ｘ線画像撮影システムにおいて、
複数の異なる拡大率で拡大撮影が可能なＸ線画像撮影装置と、
前記Ｘ線画像撮影装置で撮影されたＸ線画像のデータと、前記拡大撮影における拡大率を特定可能な撮影条件情報とを対応付ける対応化手段と、
前記対応化手段により対応付けられた前記Ｘ線画像のデータと前記拡大率を特定可能な撮影条件情報とを対応付けて保存するデータ保存手段と、を有している
ことを特徴とする。
【００１０】
請求項２に記載の発明は、請求項１に記載のＸ線画像撮影システムにおいて、
被写体に関する被写体情報を入力する被写体情報入力手段と、
前記被写体情報入力手段により入力された被写体情報に応じて、前記拡大率を特定可能な撮影条件情報を選択する撮影条件情報選択手段と、
を有していることを特徴とする。
【００１１】
請求項３に記載の発明は、Ｘ線画像撮影システムにおいて、
複数の異なる拡大率で拡大撮影が可能であり、撮影されたＸ線画像のデータと前記拡大撮影の際の拡大率を特定可能な撮影条件情報とを出力するＸ線画像撮影装置と、
前記Ｘ線画像撮影装置で撮影されたＸ線画像のデータと、前記拡大率を特定可能な撮影条件情報とを対応付ける対応化手段と、
前記対応化手段により対応付けられた前記Ｘ線画像のデータと前記拡大率を特定可能な撮影条件情報とを対応付けて保存するデータ保存手段と、を有していることを特徴とする。
【００１２】
請求項４に記載の発明は、請求項３に記載のＸ線画像撮影システムにおいて、
被写体に関する被写体情報を入力する被写体情報入力手段を有し、
前記Ｘ線画像撮影装置は、前記被写体情報入力手段により入力された被写体情報に応じた条件で、前記拡大撮影を行うとともに、前記撮影されたＸ線画像のデータと前記拡大撮影の際の拡大率を特定可能な撮影条件情報とを出力するものであることを特徴とする。
【００１３】
請求項５に記載の発明は、請求項３に記載のＸ線画像撮影システムにおいて、
被写体位置を検出する被写体位置検出手段を有し、
前記Ｘ線画像撮影装置は、前記被写体位置検出手段により検出された被写体位置に応じた条件で、前記拡大撮影を行うとともに、前記撮影されたＸ線画像のデータと前記拡大撮影の際の拡大率を特定可能な撮影条件情報とを出力するものであることを特徴とする。
【００１４】
請求項６に記載の発明は、請求項２又は請求項４に記載のＸ線画像撮影システムにおいて、
前記被写体情報が、被写体の撮影部位に関する撮影部位情報を含んでいることを特徴とする。
【００１５】
請求項７に記載の発明は、請求項２、請求項４又は請求項６のいずれか一項に記載のＸ線画像撮影システムにおいて、
前記被写体情報が、被写体の年齢に関する年齢関連情報を含んでいることを特徴とする。
【００１６】
請求項８に記載の発明は、請求項１から請求項７のいずれか一項に記載のＸ線画像撮影システムにおいて、
前記データ保存手段から、検索により、前記Ｘ線画像のデータとこれに対応する前記拡大率を特定可能な撮影条件情報とを得る検索手段を有していることを特徴とする。
【００１７】
請求項９に記載の発明は、請求項８に記載のＸ線画像撮影システムにおいて、
前記Ｘ線画像のデータに対応する前記拡大率を特定可能な撮影条件情報を用いて、前記Ｘ線画像の被写体の長さ関連量を計測する計測手段を有していることを特徴とする。
【００１８】
請求項１０に記載の発明は、請求項８又は請求項９に記載のＸ線画像撮影システムにおいて、
前記Ｘ線画像のデータに対応する前記拡大率を特定可能な撮影条件情報を用いて、前記Ｘ線画像の被写体像を実寸に対して所定倍率で表示する表示手段を有していることを特徴とする。
【００１９】
請求項１１に記載の発明は、請求項７から請求項１０のいずれか一項に記載のＸ線画像撮影システムにおいて、
前記対応化手段は、前記Ｘ線画像撮影装置で撮影されたＸ線画像のデータと、前記拡大率を特定可能な撮影条件情報とを、前記Ｘ線画像の被写体情報と対応付けるものであり、
前記データ保存手段は、前記対応化手段により対応付けられた前記Ｘ線画像のデータと前記被写体情報と前記拡大率を特定可能な撮影条件情報とを対応付けて保存するものであり、
前記検索手段は、前記Ｘ線画像のデータとこれに対応する前記拡大率を特定可能な撮影条件情報と前記被写体情報とを前記データ保存手段から得るものであることを特徴とする。
【００２０】
請求項１２に記載の発明は、
複数の異なる拡大率で拡大撮影が可能なＸ線画像撮影装置で撮影されたＸ線画像のデータと、前記拡大撮影における拡大率を特定可能な撮影条件情報とを対応付ける対応化機能と、
前記対応化機能により対応付けられた前記Ｘ線画像のデータと前記拡大率を特定可能な撮影条件情報とを対応付けて保存するデータ保存機能と、
をコンピュータに実現させることを特徴とするプログラムである。
【００２１】
請求項１３に記載の発明は、請求項１２に記載のプログラムにおいて、
被写体に関する被写体情報を入力する被写体情報入力機能と、
前記被写体情報入力機能により入力された被写体情報に応じて、前記拡大率を特定可能な撮影条件情報を選択する撮影条件情報選択機能と、
をさらにコンピュータに実現させることを特徴とする。
【００２２】
請求項１４に記載の発明は、
複数の異なる拡大率で拡大撮影が可能なＸ線画像撮影装置から出力されたＸ線画像のデータと、前記拡大撮影の際の拡大率を特定可能な撮影条件情報とを対応付ける対応化機能と、
前記対応化機能により対応付けられた前記Ｘ線画像のデータと前記拡大率を特定可能な撮影条件情報とを対応付けて保存するデータ保存機能と、
をコンピュータに実現させることを特徴とするプログラムである。
【００２３】
請求項１５に記載の発明は、請求項１４に記載のプログラムにおいて、
被写体に関する被写体情報を入力する被写体情報入力機能と、
前記被写体情報入力機能により入力された被写体情報に応じた条件で、前記拡大撮影を行うように前記Ｘ線画像撮影装置を制御する制御機能と、
前記Ｘ線画像撮影装置で撮影されたＸ線画像のデータと、前記拡大撮影の際の拡大率を特定可能な撮影条件情報とを出力する出力機能と、
をさらにコンピュータに実現させることを特徴とする。
【００２４】
請求項１６に記載の発明は、請求項１４に記載のプログラムにおいて、
被写体位置を検出する被写体位置検出手段によって検出された被写体位置に応じて、前記拡大撮影を行うように前記Ｘ線画像撮影装置を制御する制御機能と、
前記Ｘ線画像撮影装置で撮影されたＸ線画像のデータと、前記拡大撮影の際の拡大率を特定可能な撮影条件情報とを出力する出力機能と、
をさらにコンピュータに実現させることを特徴とする。
【００２５】
請求項１７に記載の発明は、請求項１３又は請求項１５に記載のプログラムにおいて、
前記被写体情報が、被写体の撮影部位に関する撮影部位情報を含んでいることを特徴とする。
【００２６】
請求項１８に記載の発明は、請求項１３、請求項１５又は請求項１７のいずれか一項に記載のプログラムにおいて、
前記被写体情報が、被写体の年齢に関する年齢関連情報を含んでいることを特徴とする。
【００２７】
請求項１９に記載の発明は、請求項１２から請求項１８のいずれか一項に記載のプログラムにおいて、
前記データ保存機能により保存されたデータの中から、検索により、前記Ｘ線画像のデータとこれに対応する前記拡大率を特定可能な撮影条件情報とを得る検索機能をさらにコンピュータに実現させることを特徴とする。
【００２８】
請求項２０に記載の発明は、請求項１９に記載のプログラムにおいて、
前記Ｘ線画像のデータに対応する前記拡大率を特定可能な撮影条件情報を用いて、前記Ｘ線画像の被写体の長さ関連量を計測する計測機能をさらにコンピュータに実現させることを特徴とする。
【００２９】
請求項２１に記載の発明は、請求項１９又は請求項２０に記載のプログラムにおいて、
前記Ｘ線画像のデータに対応する前記拡大率を特定可能な撮影条件情報を用いて、前記Ｘ線画像の被写体像を実寸に対して所定倍率で表示手段に表示させる表示制御機能をさらにコンピュータに実現させることを特徴とする。
【００３０】
請求項２２に記載の発明は、請求項１８から請求項２１のいずれか一項に記載のプログラムにおいて、
前記対応化機能は、前記Ｘ線画像撮影装置で撮影されたＸ線画像のデータと、前記拡大率を特定可能な撮影条件情報とを、前記Ｘ線画像の被写体情報と対応付けるものであり、
前記データ保存機能は、前記対応化機能により対応付けられた前記Ｘ線画像のデータと前記被写体情報と前記拡大率を特定可能な撮影条件情報とを対応付けて保存するものであり、
前記検索機能は、前記データ保存機能により保存されたデータの中から、前記Ｘ線画像のデータとこれに対応する前記拡大率を特定可能な撮影条件情報と前記被写体情報とを得るものであることを特徴とする。
【００３１】
請求項２３に記載の発明は、Ｘ線画像撮影システムにおいて、
複数の異なる焦点径で拡大撮影が可能なＸ線画像撮影装置と、
前記Ｘ線画像撮影装置で撮影されたＸ線画像のデータと、前記拡大撮影における焦点径を特定可能な撮影条件情報とを対応付ける対応化手段と、
前記対応化手段により対応付けられた前記Ｘ線画像のデータと前記撮影条件情報とを対応付けて保存するデータ保存手段と、を有していることを特徴とする。
【００３２】
請求項２４に記載の発明は、請求項２３に記載のＸ線画像撮影システムにおいて、
被写体に関する被写体情報を入力する被写体情報入力手段と、
前記被写体情報入力手段により入力された被写体情報に応じて、前記焦点径を特定可能な撮影条件情報を選択する撮影条件情報選択手段と、を有していることを特徴とする。
【００３３】
請求項２５に記載の発明は、Ｘ線画像撮影システムにおいて、
複数の異なる焦点径で拡大撮影が可能であり、撮影されたＸ線画像のデータと前記拡大撮影の際の焦点径を特定可能な撮影条件情報とを出力するＸ線画像撮影装置と、
前記Ｘ線画像撮影装置で撮影されたＸ線画像のデータと、前記焦点径を特定可能な撮影条件情報とを対応付ける対応化手段と、
前記対応化手段により対応付けられた前記Ｘ線画像のデータと前記撮影条件情報とを対応付けて保存するデータ保存手段と、を有していることを特徴とする。
【００３４】
請求項２６に記載の発明は、請求項２５に記載のＸ線画像撮影システムにおいて、
被写体に関する被写体情報を入カする被写体情報入力手段を有し、
前記Ｘ線画像撮影装置は、前記被写体情報入力手段により入力された被写体情報に応じた条件で、前記拡大撮影を行うとともに、前記撮影されたＸ線画像のデータと前記拡大撮影の際の焦点径を特定可能な撮影条件情報とを出力するものであることを特徴とする。
【００３５】
請求項２７に記載の発明は、請求項２４又は請求項２６に記載のＸ線画像撮影システムにおいて、
前記被写体情報が、被写体の撮影部位に関する撮影部位情報を含んでいることを特徴とする。
【００３６】
請求項２８に記載の発明は、請求項２４、請求項２６又は請求項２７のいずれか一項に記載のＸ線画像撮影システムにおいて、
前記被写体情報が、被写体の年齢に関する年齢関連情報を含んでいることを特徴とする。
【００３７】
請求項２９に記載の発明は、請求項２３から請求項２８のいずれか一項に記載のＸ線画像撮影システムにおいて、
前記データ保存手段から、検索により、前記Ｘ線画像のデータとこれに対応する前記焦点径を特定可能な撮影条件情報とを得る検索手段を有することを特徴とする。
【００３８】
請求項３０に記載の発明は、請求項２９に記載のＸ線画像撮影システムにおいて、
前記Ｘ線画像のデータに対応する前記焦点径を特定可能な撮影条件情報を用いて、前記Ｘ線画像と、焦点径とを同時に表示できる表示手段を有していることを特徴とする。
【００３９】
請求項３１に記載の発明は、
複数の異なる焦点径で拡大撮影が可能なＸ線画像撮影装置で撮影されたＸ線画像のデータと、前記拡大撮影における焦点径を特定可能な撮影条件情報とを対応付ける対応化機能と、
前記対応化機能により対応付けられた前記Ｘ線画像のデータと前記焦点径を特定可能な撮影条件情報とを対応付けて保存するデータ保存機能と、
前記撮影条件情報により決まる焦点径で拡大撮影を行うように前記Ｘ線画像撮影装置を制御する制御機能と、
をコンピュータに実現させることを特徴とするプログラムである。
【００４０】
請求項３２に記載の発明は、請求項３１に記載のプログラムにおいて、
被写体に関する被写体情報を入力する被写体情報入力機能と、
前記被写体情報入力機能により入力された被写体情報に応じて、前記拡大撮影における焦点径を特定可能な撮影条件情報を選択する撮影条件情報選択機能と、
をさらにコンピュータに実現させることを特徴とする。
【００４１】
請求項３３に記載の発明は、
複数の異なる焦点径で拡大撮影が可能なＸ線画像撮影装置から出力されたＸ線画像のデータと前記拡大撮影の際の焦点径を特定可能な撮影条件情報とを対応付ける対応化機能と、
前記対応化機能により対応付けられた前記Ｘ線画像のデータと前記焦点径を特定可能な撮影条件情報とを対応付けて保存するデータ保存機能と、
をコンピュータに実現させることを特徴とするプログラムである。
【００４２】
請求項３４に記載の発明は、請求項３３に記載のプログラムにおいて、
被写体に関する被写体情報を入カする被写体情報入力機能と、
前記被写体情報入力機能により入力された被写体情報に応じた条件で、前記拡大撮影を行うように前記Ｘ線画像撮影装置を制御する制御機能と、
前記Ｘ線画像撮影装置で撮影されたＸ線画像のデータと、前記拡大撮影の際の焦点径を特定可能な撮影条件情報とを出力する出力機能と、
をさらにコンピュータに実現させることを特徴とする。
【００４３】
請求項３５に記載の発明は、請求項３２又は請求項３４に記載のプログラムにおいて、
前記被写体情報が、被写体の撮影部位に関する撮影部位情報を含んでいることを特徴とする。
【００４４】
請求項３６に記載の発明は、請求項３２、請求項３４又は請求項３５のいずれか一項に記載のプログラムにおいて、
前記被写体情報が、被写体の年齢に関する年齢関連情報を含んでいることを特徴とする。
【００４５】
請求項３７に記載の発明は、求項３１から請求項３６のいずれか一項に記載のプログラムにおいて、
前記データ保存機能により保存されたデータの中から、検索により、前記Ｘ線画像のデータとこれに対応する前記焦点径を特定可能な撮影条件情報とを得る検索機能をさらにコンピュータに実現させることを特徴とする。
【００４６】
請求項３８に記載の発明は、請求項３７に記載のプログラムにおいて、
前記Ｘ線画像のデータに対応する前記焦点径を特定可能な撮影条件情報を用いて、前記Ｘ線画像と、焦点径とを同時に表示手段に表示させる表示制御機能をさらにコンピュータに実現させることを特徴とする。
【００４７】
なお、上述の拡大率を特定可能な撮影条件情報とは、拡大率そのものの情報に限らず、拡大率を実質的に特定できる情報のことである。そして、拡大率を特定可能な撮影条件情報としては、単一の情報に限らず、拡大率を特定できる複数の情報の組み合わせで有っても良い。また、拡大率を実質的に特定できる単一の情報としては、例えば、装置のＸ線源とＸ線画像検出面との距離が一定の場合のＸ線源と被写体との間の距離の情報や、装置のＸ線源と被写体台との距離が一定の場合の被写体台とＸ線画像検出面との間の距離の情報や、装置の被写体台とＸ線画像検出面との距離が一定の場合のＸ線源とＸ線画像検出面との間の距離の情報などが挙げられるが、これらに限らない。また、拡大率を実質的に特定できる複数の情報の組み合わせとしては、例えば、装置のＸ線源とＸ線画像検出面との距離の情報と、Ｘ線源と被写体との間の距離の情報との組み合わせや、装置のＸ線源と被写体台との距離の情報と、被写体台とＸ線画像検出面との間の距離の情報との組み合わせや、装置のＸ線源と被写体台との距離の情報と、被写体台とＸ線画像検出面との間の距離の情報との組み合わせなどが挙げられるが、これらに限られない。
【００４８】
また、同様に、上述の焦点径を特定可能な撮影条件情報とは、焦点径そのものの情報に限らず、焦点径を実質的に特定できる情報のことである。そして、焦点径を特定可能な撮影条件情報としては、単一の情報に限らず、焦点径を特定できる複数の情報の組み合わせで有っても良い。また、拡大率を実質的に特定できる単一の情報としては、例えば、選択可能な複数の照射モードがあり、照射モードに応じて特定の焦点径となるＸ線源の場合の選択された照射モードの情報や、選択可能は複数のＸ線源を有し、これらのＸ線源が一定の焦点径であり、互いに異なる焦点径である場合の選択されたＸ線源の情報などが挙げられるが、これらに限らない。また、焦点径を実質的に特定できる複数の情報の組み合わせとしては、例えば、装置のＸ線源とＸ線画像検出面との距離の情報と、Ｘ線源と被写体との間の距離の情報との組み合わせや、装置のＸ線源と被写体台との距離の情報と、被写体台とＸ線画像検出面との間の距離の情報との組み合わせや、装置のＸ線源と被写体台との距離の情報と、被写体台とＸ線画像検出面との間の距離の情報との組み合わせなどが挙げられるが、これらに限られない。
【００４９】
また、上述の被写体情報とは、Ｘ線拡大撮影される被写体に関する情報のことである。そして、被写体情報としては、Ｘ線拡大撮影される被写体に関する情報であって、Ｘ線拡大撮影の撮影条件の特定に有用な情報であることが好ましい。このような被写体情報としては、例えば、被写体の年齢に関する情報である年齢関連情報や、被写体の撮影部位に関する情報である撮影部位情報や、被写体の内蔵機器に関する情報、被写体の厚さに関する情報、被写体の体重に関する情報、被写体の体脂肪に関する情報、被写体の性別に関する情報などが挙げられるが、これらに限られない。
なお、例えば、乳児や幼児は、大人と比べて、Ｘ線撮影時に静止状態を保つことが難しい、骨の形成が未熟であり、Ｘ線被曝の影響が大きいといった特徴があり、被写体の年齢によって適切なＸ線照射時間・Ｘ線エネルギー、照射できるＸ線量の制約が異なり、拡大率によって被写体に照射されるＸ線照射時間・Ｘ線量が異なるので、被写体の年齢によって選択可能な拡大率が間接的に異なる。
【００５０】
また、年齢関連情報とは、被写体の年齢に関する情報である。年齢関連情報としては、被写体の年齢そのものの情報に限らず、例えば、乳児か幼児か子供か青年か壮年か老年かといった年齢層に関する情報で有っても良いし、また、複数の情報の組み合わせ、例えば、撮影年月日の情報と生年月日の情報との組み合わせや、撮影年の情報と生年の情報との組み合わせ、であっても良い。
【００５１】
また、例えば、手・足など肉薄の部位は、Ｘ線透過率が高く、出力の小さいが鮮鋭性が高い小焦点による拡大撮影ができ、頭部・腹部など肉厚の部位は、Ｘ線透過率が低く、鮮鋭性は小焦点と比較して劣るが、出力の大きい大焦点による拡大撮影が適切など、被写体の撮影部位によってＸ線透過率が異なり、Ｘ線透過率によって選択可能な拡大率が異なるので、被写体の撮影部位によって選択可能な拡大率が間接的に異なる。また、被写体に内蔵されている機器によっては、Ｘ線源から離間する必要があったり、Ｘ線検出器に影響を与えたりするので、被写体に内蔵されている機器によって選択可能な拡大率が間接的に異なる。
【００５２】
また、撮影部位情報とは、被写体の撮影部位に関する情報である。撮影部位情報としては、被写体の撮影部位を特定可能な情報に限らず、例えば、頭部、胸部、腹部、四肢、手、足といった概略的に撮影部位を特定できる情報であっても良いし、例えば、Granger法、Runstrom III法、Runstrom IV法、Hickey法、Arcelin法、Low-Beer法などの撮影方法と組み合わせて撮影部位を特定できる情報であってもよいが、これらに限らない。
【００５３】
また、被写体の長さ関連量とは、Ｘ線画像から算出される被写体の特定箇所の長さだけでなく、Ｘ線画像から算出される被写体の特定箇所の形状、Ｘ線画像から算出される被写体の特定箇所の面積、Ｘ線画像の被写体の特定箇所の単位長さあたりの各種物理量、Ｘ線画像から算出される被写体の被写体の特定箇所の単位面積あたりの各種物理量など、被写体の実寸に関係する物理量のことである。
このような被写体の長さ関連量としては、例えば以下のようなものが挙げられるが、これらに限らない。被写体の特定箇所の長さの例としては、被写体の特定箇所自体の幅・長さや特定箇所間の距離などが挙げられる。被写体の特定箇所の形状の例としては、被写体の特定箇所の境界形状の曲率半径や、被写体の特定箇所の境界形状の周波数解析結果のピーク波長などが挙げられる。被写体の特定箇所の面積の例としては、被写体の特定部位の面積や、被写体の特定部位間の面積などが挙げられる。被写体の特定箇所の単位長さあたりの各種物理量の例としては、被写体の特定箇所の単位長さ間のＸ線強度信号の変化量や、被写体の特定箇所の位置に対するＸ線強度信号プロファイルの周波数解析結果のピーク周波数や、骨部の単位距離内の骨梁本数などが挙げられる。被写体の特定箇所の単位面積あたりの各種物理量の例としては、被写体の特定箇所の単位面積内のＸ線強度信号の最大値と最小値の差や、海綿骨部の単位面積内の縦横の骨梁本数や、乳房部の単位面積内の石灰化領域数などが挙げられる。
【発明の効果】
【００５４】
請求項１及び請求項１２の発明によれば、複数の異なる拡大率による拡大撮影ができるＸ線画像撮影装置で拡大撮影されたＸ線画像のデータと、この拡大撮影における拡大率を特定可能な撮影条件情報とを対応付けて保存するので、このＸ線画像が撮影された拡大率が分かるようにできる。
【００５５】
請求項２及び請求項１３の発明によれば、被写体に関する情報に応じて適切な拡大率で拡大撮影を行うことができる。
【００５６】
請求項３及び請求項１４の発明によれば、複数の異なる拡大率による拡大撮影ができるＸ線画像撮影装置で拡大撮影されたＸ線画像のデータと当該撮影における拡大率を特定可能な撮影条件情報とを対応付けて保存するので、このＸ線画像が撮影された拡大率が分かるようにできる。
【００５７】
請求項４及び請求項１５の発明によれば、被写体に関する被写体情報に応じて適切な条件で拡大撮影し、その際の拡大率を特定可能な撮影条件情報を出力できる。
【００５８】
請求項５及び請求項１６の発明によれば、被写体台に被写体を固定せずに撮影を行う場合等、被写体位置が予め確定しない状態で拡大撮影した場合でも、当該撮影における拡大率を特定可能な撮影条件情報を出力できる。
【００５９】
請求項６及び請求項１７の発明によれば、撮影部位に応じて適切な条件で拡大撮影できる。
【００６０】
請求項７及び請求項１８の発明によれば、年齢関連情報に応じて適切な条件で拡大撮影できる。
【００６１】
請求項８及び請求項１９の発明によれば、検索により、対応するＸ線画像のデータと撮影条件情報とを得るので、撮影後、検索により得たＸ線画像が、撮影された拡大率を知ることができる。
【００６２】
請求項９及び請求項２０の発明によれば、Ｘ線画像に対応する撮影条件情報を用いて、被写体の長さ関連量を計測するので、複数の異なる拡大率で拡大撮影されたＸ線画像から被写体の長さ関連量を正しく得ることができる。
【００６３】
請求項１０及び請求項２１の発明によれば、Ｘ線画像に対応する撮影条件情報を用いて、前記Ｘ線画像の被写体に対して所定倍率で表示するので、複数の異なる拡大率で拡大撮影されたＸ線画像を実寸に対して等しい倍率で表示できる。このため、例えば医師等が複数の画像を比較して診断する場合等に大きさや分布等の比較が容易である。
【００６４】
請求項１１及び請求項２２の発明によれば、複数の異なる拡大率による拡大撮影ができるＸ線画像撮影装置で拡大撮影した際の拡大率とＸ線画像と被写体情報に対応付けて保存され、検索により得ることができるので、撮影後に得たＸ線画像が撮影された拡大率を知ることができる。
【００６５】
請求項２３及び請求項３１の発明によれば、複数の異なる焦点径による拡大撮影ができるＸ線画像撮影装置で拡大撮影されたＸ線画像のデータと、この拡大撮影における焦点径を特定可能な撮影条件情報とを対応付けて保存するので、このＸ線画像が撮影された焦点径が分かるようにできる。
【００６６】
請求項２４及び請求項３２の発明によれば、被写体に関する情報に応じて適切な焦点径で拡大撮影を行うことができる。
【００６７】
請求項２５及び請求項３３の発明によれば、複数の異なる焦点径による拡大撮影ができるＸ線画像撮影装置で拡大撮影されたＸ線画像のデータと、この拡大撮影における焦点径を特定可能な撮影条件情報とを対応付けて保存するので、このＸ線画像が撮影された焦点径が分かるようにできる。
【００６８】
請求項２６及び請求項３４の発明によれば、被写体に関する被写体情報に応じて適切な焦点径で拡大撮影し、その際の焦点径を特定可能な撮影条件情報を出力する。
【００６９】
請求項２７及び請求項３５の発明によれば、撮影部位に応じて適切な焦点径で拡大撮影できる。
【００７０】
請求項２８及び請求項３６の発明によれば、年齢関連情報に応じて適切な焦点径で拡大撮影できる。
【００７１】
請求項２９及び請求項３７の発明によれば、検索により、対応するＸ線画像のデータと撮影条件情報とを得るので、撮影後、検索により得たＸ線画像が、撮影された焦点径を知ることができる。
【００７２】
請求項３０及び請求項３８の発明によれば、Ｘ線画像と対応する撮影条件情報を用いて、Ｘ線画像と、Ｘ線画像を撮影した際の焦点径とを同時に表示できるので、Ｘ線画像の観察者は、観察しているＸ線画像が撮影された焦点径が分かる。
【発明を実施するための最良の形態】
【００７３】
以下に、図面を参照しつつ、本発明を実施するための最良の形態を説明する。
なお、本欄は、発明を実施するために発明者が最良と認識している形態を示すものであり、発明の範囲や、特許請求の範囲に用いられている用語を一見、断定又は定義するような表現もあるが、これらは、あくまで、発明者が最良と認識している形態を特定するための表現であり、発明の範囲や、特許請求の範囲に用いられている用語を特定又は限定するものではない。また、発明の範囲を本欄で説明する図示例に限定するものではない。 
【００７４】
図１から図３３を参照しながら本発明に係るＸ線画像撮影システム１００の一実施形態について説明する。
【００７５】
図１は、本実施形態におけるＸ線画像撮影システム１００のシステム構成例を示すものである。
図１に示すように、本実施形態に係るＸ線画像撮影システム１００は、被写体Ｈ（図２等参照）のＸ線画像を撮影するＸ線画像撮影装置１、このＸ線画像撮影装置１等を制御するコンソール７０、コンソール７０と通信ネットワーク８０（以下単に「ネットワーク」と称する。）を介して接続されたＨＩＳ／ＲＩＳサーバ８１、データサーバ８２、ビューワ８３、イメージャ８４等を備える。
【００７６】
Ｘ線画像撮影システムのネットワーク８０内の通信方式としては、例えばＤＩＣＯＭ（Digital Image and Communications in Medicine）規格が用いられ、ＬＡＮ接続された各装置間の通信では、ＤＩＣＯＭ  ＭＷＭ(Modality Worklist Management)やＤＩＣＯＭ  ＭＰＰＳ（Modality Performed Procedure Step）等が用いられる。なお、本実施形態に適用可能な通信方式はこれに限定されない。
【００７７】
［Ｘ線画像撮影装置の構成］
本実施形態に係るＸ線画像撮影装置１は、図２（Ａ）に示すように被写体ＨをＸ線検出器１３に密着させて撮影する密着撮影と、図２（Ｂ）に示すように被写体Ｈを被写体台１５に固定し、被写体ＨとＸ線検出器１３との間に距離（エアギャップ）をおいた状態で撮影する拡大撮影とを実施できる。なお、本実施形態では、拡大撮影として、位相コントラスト効果により拡大撮影画像の鮮鋭性が向上するので、位相コントラスト撮影を行える前提で説明する。なお、位相コントラスト撮影については後で説明する。
【００７８】
本実施形態に係るＸ線画像撮影装置１には、図３及び図４に示すように、支持基部３が床面Ｆにボルト等で固定された支持台２に対して設けられている。本実施形態では、支持基部３は、図示しない駆動モータ等の駆動装置の駆動により支持台２に対して略鉛直方向に昇降できるようになっている。
【００７９】
なお、本実施形態では、支持台２が床面Ｆに固定される場合について説明するが、この他にも、例えば天地を逆転させて支持台２を図示しない天井に固定することも可能である。また、例えば、車輪等が設けられ床面上を移動可能とされた図示しない台座に支持台２を固定したり、天井にレール等を配設し、そのレール等から支持台２を垂下させるなどして、支持台２が床面や天井に対して移動できるように構成することも可能である。さらに、支持台２を支柱状に構成し、その支柱に沿って支持基部３が昇降するように構成することも可能である。
【００８０】
支持基部３の上方側面には、支持基軸４が略水平方向に延在するように設けられている。本実施形態では、支持基軸４は、筒状の支持外筒４ａとその内側の支持内軸４ｂとで構成されており、支持外筒４ａは、支持基部３内に配設された図示しない駆動モータ等の駆動装置の駆動により支持内軸４ｂの外側を装置正面から見て時計回り及び反時計回りに回動されるようになっている。なお、本実施形態では、支持内軸４ｂは回動しないようになっている。
【００８１】
支持基軸４の支持外筒４ａの支持基部３とは反対側の端部には、支持外筒４ａに連結された回動基部５を介して第一アーム６及び第二アーム７がそれぞれ支持基軸４に対して略垂直方向に延在し、互いに反対方向に延出するように取り付けられている。第一アーム６及び第二アーム７は、前述したように支持内軸４ｂの外側を時計回り及び反時計回りに回動可能とされた支持外筒４ａの回動に伴って回動基部５を介して支持基軸４周りに回動可能とされている。
【００８２】
第一アーム６及び第二アーム７は、それぞれ回動基部５を基点としてその長さを伸縮できるように構成されている。本実施形態では、それぞれ筒状の小片をスライドさせるテレスコピック式とされており、図示しない駆動モータ等の駆動装置の駆動によりその長さが伸縮自在とされている。
【００８３】
本実施形態では、後述するように第一アーム６及び第二アーム７の先端部分にはＸ線管１０及びＸ線検出器１３が設けられており、第一アーム６及び第二アーム７の伸縮により、図５に示すＸ線管１０とＸ線検出器１３との距離Ｒが可変とされている。後述するように、Ｘ線管１０とＸ線検出器１３との間に被写体台１５を設ける場合には、Ｘ線管１０と被写体台１５との距離Ｒ１、被写体台１５とＸ線検出器１３との距離Ｒ２もそれぞれ第一アーム６及び第二アーム７の伸縮により変えることができるようになっている。
【００８４】
なお、本発明において、Ｘ線管１０と他の部材との距離とは、正確にはＸ線管１０の焦点と他の部材との距離を表す。また、Ｘ線画像撮影装置１は、前記距離Ｒ、Ｒ１、Ｒ２を誤差の許容範囲内で的確に調節できるものであればよく、上記構成に限定されない。
【００８５】
すなわち、例えば、第一アーム６や第二アーム７はそれぞれ回動基部５を基点とする伸縮しない棒状の構造体として構成され、Ｘ線管１０やＸ線検出器１３がその棒状の第一アーム６や第二アーム７に沿って移動することで前記距離Ｒ、Ｒ１、Ｒ２を調節するように構成することも可能である。また、第一アーム６及び第二アーム７は、回動基部５を基点として互いに正確に反対方向に延出するように構成される必要はなく、Ｘ線管１０やＸ線検出器１３を、互いに、また支持基軸４に対して位置調整するための基準を与え、かつ、Ｘ線管１０やＸ線検出器１３を支持基軸４周りに回動させることができるものであればよい。
【００８６】
第一アーム６の回動基部５とは反対側の先端部には、支持基軸４に略平行になるように第一支持軸８が延出されており、第一支持軸８の先端部には、Ｘ線照射器９が第一支持軸８の中心軸周りに回動可能に取り付けられている。すなわち、図３に示すように、Ｘ線照射器９は、第一アーム６の回動に伴って支持基軸４周りに回動するとともに、それとは独立に第一支持軸８周りに装置正面から見て時計回り及び反時計回りに回動できるようになっている。Ｘ線照射器９の第一支持軸８周りの回動は、撮影者が手動で行うように構成してもよく、また、駆動モータ等の駆動装置の駆動により行うように構成してもよい。
【００８７】
Ｘ線照射器９は、Ｘ線を照射するＸ線源としてのＸ線管１０を備えており、Ｘ線管１０のＸ線放射口には、Ｘ線の照射野を調節するための絞り１１が開閉自在に設けられている。絞り１１の開閉量を調節することによりＸ線の照射野を設定することができるようになっている。また、Ｘ線照射器９には、Ｘ線管１０に電力を供給する図示しない電源部等が接続されている。
【００８８】
Ｘ線管１０としては、例えば、医療現場や非破壊検査施設で広く用いられているクーリッジＸ線管や、回転陽極Ｘ線管が挙げられる。なお、回転陽極Ｘ線管においては、陰極から放射される電子線が陽極に衝突することでＸ線が発生する。これは自然光のようにインコヒーレント（非干渉性）であり、また平行光Ｘ線でもなく発散光である。電子線が陽極の固定した場所に当り続けると、熱の発生で陽極が傷むので、通常用いられるＸ線管では陽極を回転して陽極の寿命の低下を防いでいる。電子線を陽極の一定の大きさの面に衝突させ、発生したＸ線はその一定の大きさの陽極の平面から被写体Ｈに向けて放射される。この照射方向（被写体方向）から見た平面の大きさを実焦点（フォーカス）と呼ぶ。焦点径（μｍ）は、ＪＩＳ  Ｚ  ４７０４−１９９４の７．４．１焦点試験の（２．２）スリットカメラに規定されている方法で測定できる。なお、この測定方法中の任意選択条件は、Ｘ線源の性質に応じて測定原理から考えて精度が最も高くなる条件を選択した方が一層精度の高い測定が可能となることは言うまでもない。
【００８９】
Ｘ線管１０は、密着撮影用の３００〜２０００μｍの大焦点径の範囲内、及び位相コントラスト撮影用の１０〜３００μｍの小焦点径の範囲内で、それぞれその焦点径を設定できるようになっており、しかも、後述するコンソール７０からの制御信号によりそれらを切り換えられるように構成されている。小焦点径の範囲は５０〜１５０μｍの範囲であればより好ましい。また、焦点径の大きさにより最大電流値が設けられていればより好ましい。
【００９０】
詳しく説明すれば、Ｘ線管１０の焦点径は小さいほど鮮明な位相コントラスト像が得られるが、最大出力電流値が小さくなるため、撮影時間が長くなるという問題点がある。そのため、撮影対象となる部位により、好ましい焦点径の大きさが決まってくる。手指や足先など比較的薄い部位は、もともとの照射線量を低くできるので、比較的低出力でもよく、鮮鋭性を重視した小焦点を選択することが好ましい。具体的には、１０〜１５０μmの範囲が好ましい。肘や膝などはやや厚みを持つため、手指などと比べて高出力が必要であり、焦点径もやや大きいことが好ましい。具体的には、５０〜２００μmの範囲が好ましい。胸部、腹部、腰椎など厚い部位に対しては、高出力が必要であるため、焦点径も大きいものが必要になる。具体的には、１００〜３００μmの範囲が好ましい。厚い部位に対しては、照射線量を多くする以外に、被曝線量を増やさないために、管電圧を高くする（Ｘ線エネルギーを高くする）、撮影距離を短くする（被曝線量を増やさずに、照射線量を減らせる）等の方法で対応することもできる。また、厚い部位に対しては、密着撮影で対応するという方法もある。
【００９１】
なお、Ｘ線の平均エネルギーは、１３ＫｅＶ以上(特に１６ＫｅＶ以上)であることが、被写体が生きた動物や人体であっても、吸収被曝が少なくなり、十秒以上といった長時間照射も不要となり、更に、撮影時間中に被写体Ｈのブレも抑えられるため、好ましい。また、Ｘ線のピーク波長は、６０ＫｅＶ以下（特に３２ＫｅＶ以下）であることが、骨による屈折が十分検出でき、得られた画像を診断等に有効に用いることができ、好ましく、更に、２５ＫｅＶ以下であることが特に好ましい。
【００９２】
Ｘ線管１０（Ｘ線源）として、例えば、前述のクーリッジＸ線管や回転陽極Ｘ線管を用いる場合、Ｘ線管球のターゲット（陽極）には、一般撮影で使用されるＷ（タングステン）、乳房撮影で使用されるＭｏ（モリブデン）やＲｈ（ロジウム）が好ましく用いられる。
Ｘ線管球のターゲット（陽極）に乳房撮影で使用されるＭｏ（モリブデン）を用いた場合には、一般に管電圧の設定値が３２ｋＶｐでは平均エネルギーが１７〜１８ｋｅＶのＸ線が照射され、管電圧の設定値が３９ｋＶｐでは平均エネルギーが２０ｋｅＶのＸ線が照射される。また、ターゲットに一般撮影で使用されるＷ（タングステン）を用いた場合には、管電圧の設定値が３０ｋＶｐでは、平均エネルギーが２２ｋｅＶのＸ線が照射され、管電圧の設定値が５０ｋＶｐでは、平均エネルギーが３２ｋｅＶのＸ線が通常照射される。
また、Ｘ線管１０には、通常挿入されるアルミだけでなく、モリブデン又はロジウムなどのＸ線エネルギー吸収が異なる複数の種類のフィルターを挿入できることが好ましく、特に、アルミと、モリブデン又はロジウムの少なくとも一方のフィルタを挿入できることが好ましい。
例えば、拡大撮影における平均エネルギーは複数の異なる平均エネルギーから選択できることが好ましい。
【００９３】
このように、Ｘ線管球のターゲットにＷ（タングステン）を用いる場合、管電圧は３０〜１５０ｋＶｐ、電流値は１〜３００ｍＡ、撮影時間は１ミリ秒〜１０秒の範囲内で設定することが可能となる。電流値は、焦点径が小さいほど上限値が低くなる傾向にあり、焦点径が１００μmの場合、上限値は４０〜５０ｍＡ程度となる。
【００９４】
また、Ｘ線管１０の焦点径は、上記範囲のピーク波長のＸ線を照射でき、且つ実用上の出力強度が得られるように２０μm以上（特に３０μm以上）であることが好ましい。また、撮影装置のサイズに制約があることを考慮すると、Ｘ線管１０の焦点径は、１５０μm以下（特に１００μm以下）であることが、鮮明な画像を得るために好ましいが、これに限定されない。
【００９５】
例えば、拡大撮影における焦点径は複数の異なる焦点径から選択できることが好ましく、このような焦点径としては、１０μm以上１５０μm以下（特に、２０μm以上１００μm以下）の小焦点の焦点径と、この小焦点の焦点径より大きな中焦点の焦点径とを選択できることが好ましい。また、中焦点の焦点径としては、７０μm以上４００μm以下（特に１００μm以上３００μm以下）の焦点径が好ましい。
【００９６】
また、Ｘ線密着撮影における焦点径も、複数の異なる焦点径から選択できることが好ましい。このような焦点径としては、拡大撮影に好ましい範囲の焦点径と、この拡大撮影に好ましい範囲の焦点径より大きな大焦点の焦点径とを選択できることが好ましい。また、大焦点の焦点径としては、２０μm以上３mm以下(特に３００μm以上２mm以下)の焦点径が好ましい。
【００９７】
なお、Ｘ線画像撮影装置１で、リウマチを代表とする関節疾患の撮影の他、そのほとんどが軟部組織でありさらに微細な石灰化の検出が必要である乳房撮影、骨のほとんどが軟骨である小児撮影等を行う場合、上記のＸ線エネルギーの中でも、特に低Ｘ線エネルギー（低管電圧に設定）のＸ線照射で位相コントラスト効果により鮮明度が向上し、診断能が向上する。そのため、位相コントラスト撮影を行う場合には、照射するＸ線の平均エネルギーは好ましくは１５〜３２ｋｅＶである。
【００９８】
詳しく説明すれば、管電圧（Ｘ線エネルギー）が低いほどコントラストがつき識別能が向上するが、被曝線量が増えるという問題点がある。そのため、撮影対象となる部位により、好ましい管電圧が決まってくる。手指や足先など比較的薄い部位は、もともとの照射線量を低くできるので、比較的低管電圧であることが好ましい。具体的には、２０〜５０ｋＶｐ（１８〜３２ｋｅＶ）の範囲が好ましい。肘や膝などはやや厚みを持つため、手指などと比べて高管電圧が必要である。具体的には、３０〜６０ｋＶｐ（２２〜３５ｋｅＶ）の範囲が好ましい。胸部、腹部、腰椎など厚い部位に対しては、高管電圧が必要である。具体的には、５０〜１５０ｋＶｐ（３２〜６０ｋｅＶ）の範囲が好ましい。
【００９９】
また、位相コントラスト撮影を行う場合、上記のようにＸ線管１０の焦点径を１μｍ以上に設定すれば、上記の平均エネルギーの範囲のＸ線を照射でき、かつ実用上の出力強度が得られる。十分なＸ線強度を得るために焦点径は５０μｍ以上であれば好ましい。
【０１００】
なお、本実施形態においては、Ｘ線源としてＸ線管１０を用いることとしたが、Ｘ線源は、以上のような条件を満たすものであればＸ線管に限定されず、例えば、特開平９−１７１７８８号公報、特開２０００−１７３５１７号公報、特開２００１−２７３８６０号公報などに記載のマイクロフォーカスＸ線源や、例えば、特開平５−２１７６９６号公報、特開２００２−２２１５００号公報などに記載のシンクロトロン放射光Ｘ線源や、例えば、特開昭４７−０２４２８８号公報、特開昭６４−６３４９号公報、特開昭６３−３０４５９７号公報、特開昭６３−３０４５９６号公報、特開平１−１０９６４６号公報、特開昭５８−１５８８４２号公報などに記載のプラズマＸ線源、例えば、特許３４９０７７０号公報等に記載のレーザＸ線源などであってもよいが、これらに限られない。
【０１０１】
なお、Ｘ線管１０は、このような条件を満たすものであれば上記のクーリッジＸ線管や回転陽極Ｘ線管に限定されず、マイクロフォーカスＸ線源等であってもよい。
【０１０２】
第二アーム７の回動基部５とは反対側の先端部には、支持基軸４に略平行になるように第二支持軸１２が延出されており、第二支持軸１２の先端部には、Ｘ線検出器１３を保持する検出器保持台１４が第二支持軸１２の中心軸周りに回動可能に取り付けられている。すなわち、図３に示すように、検出器保持台１４とＸ線検出器１３は、第二アーム７の回動に伴って支持基軸４周りに回動するとともに、それとは独立に第二支持軸１２周りに装置正面から見て時計回り及び反時計回りに回動できるようになっている。Ｘ線検出器１３の第二支持軸１２周りの回動は、撮影者が手動で行うように構成してもよく、また、駆動モータ等の駆動装置の駆動により行うように構成してもよい。
【０１０３】
Ｘ線検出器１３は、Ｘ線源１０から照射され被写体Ｈを透過したＸ線をＸ線画像検出面で検出するものである。Ｘ線検出器１３としては、スクリーンやフィルムを用いるアナログ検出器システムと、Ｘ線量をデジタル情報として検出するデジタル検出器システムとのいずれのシステムを用いてもよいが、デジタル検出器システムはＸ線量を画素ごとにデジタル情報として検出することができ、フィルム等を用いる必要がなくデータを処理し易いため、好ましく用いられる。
【０１０４】
Ｘ線検出器１３として適用可能なデジタル検出器システムとしては、例えば、輝尽性蛍光体プレート等に蓄積された情報を読取装置で読み取るＣＲ（Computed Radiography）や２次元画像センサがある。
検出画素間隔は、検出する画像の画素ピッチのことである。検出画素間隔は、１０μｍ以上あることが良く、更に、Ｘ線量子ノイズの観点からは、３０μm以上（特に６０μm以上）であることが好ましく、また、Ｘ線源から被写体Ｈまでの距離に対するＸ線源からＸ線画像検出面までの距離の比をＭとすると、検出画素間隔は、１００×Ｍ（μm)以下（特に７０×Ｍ(μm)以下）が、好ましい。また、検出画素間隔は、２００μｍ以下（特に、１５０μｍ以下）であることがより好ましい。
検出画素間隔は、２次元画像センサの場合にはセンサの画素ピッチに相当し、輝尽性蛍光体プレートの場合には、輝尽性蛍光体プレートに蓄積された画像を読み取る読取装置の読取画素ピッチに相当する。
【０１０５】
また、２次元画像センサとしては、例えば、ＦＰＤ（Flat Panel Detector）やＣＣＤ（Charge Coupled Device）等が挙げられるが、２次元配置された多数の画素毎にＸ線照射量に基づいた信号を取得するＦＰＤ（Flat Panel Detector）が２次元画像センサとして優れており、好ましい。
【０１０６】
このようなＦＰＤとしては、Ｘ線を直接電荷に変換して検出するアレイセンサを有する直接型ＦＰＤであってもよいし、Ｘ線を光に変換するシンチレータと、このシンチレータにより変換された光を電荷に変換して検出するアレイセンサとを有する間接型ＦＰＤであってもよい。そして、間接型ＦＰＤのシンチレータとしては、柱状結晶蛍光体を有するものや、特許第３６６１１９６号等に記載のアレイセンサの画素単位に形成された箱に蛍光体を充填したものや、蛍光体の粒を分散した媒体を塗布して設けたもの等が挙げられるが、これに限定されない。なお、シンチレータの厚さが厚いほど感度が高くなり、シンチレータの厚さが薄いほど空間分解能が高くなる。また、シンチレータの種類によって分光感度が異なる。また、シンチレータを形成する蛍光体としては、ＣｓＩ：Ｔｌ等、ハロゲン化アルカリ金属又はハロゲン化アルカリ土類金属が好ましい。
【０１０７】
本実施形態では、Ｘ線検出器１３としてＦＰＤを用いた検出器が用いられており、Ｘ線検出器１３は、図６に示すようにパネル１３ａや検出器制御部１３ｂ等がバスで接続されて構成されている。また、Ｘ線検出器１３は、Ｉ／Ｆ７２を介してコンソール７０と接続されており、Ｘ線管１０から放射され被写体Ｈを透過したＸ線量を検出してＸ線画像のデータとしてコンソール７０等に出力するようになっている。
【０１０８】
なお、Ｘ線検出器１３のパネル１３ａの大きさは適宜選択される。また、図６では、Ｘ線検出器１３としてカセッテ型の検出器を示したが、検出器保持台１４と一体的に形成された、いわゆる据え付け型とすることも可能である。
【０１０９】
また、後述するように、本実施形態に係るＸ線画像撮影装置１は種々の使われ方をするようになっており、Ｘ線画像撮影装置１のＸ線管１０から照射したＸ線を、装置と別体のＸ線検出器に照射する場合もある。このような場合、使用されないＸ線画像撮影装置１のＸ線検出器１３や検出器保持台１４を、第二支持軸１２から取り外しできるように構成したり、第二アーム７の軸線周りに回動できるように構成したり、第二アーム７方向に起立させたり第二アーム７から垂下させることができるように構成したり、或いはＸ線検出器１３を取り外した状態で検出器保持台１４を折り畳むことができるように構成するなどして、Ｘ線検出器１３や検出器保持台１４を撮影の障害にならない位置に移動させることができるように構成することも可能である。
【０１１０】
本実施形態では、Ｘ線検出器１３の下側すなわちＸ線検出器１３の図示しない天板の反対側に、被写体Ｈを透過したＸ線量を検出する図示しないフォトタイマが備えられている。フォトタイマは、被写体Ｈを透過したＸ線量が所定の線量に到達すると、Ｘ線画像撮影装置１の各部を制御するコンソール７０の制御装置７１に対してＸ線管１０からのＸ線の照射を停止させるための信号を送信するようになっている。なお、Ｘ線検出器１３がＦＰＤの場合には、ＦＰＤ自身がフォトタイマ２４の替わりに信号を検出する機能を有するようにしてもよい。
【０１１１】
また、Ｘ線検出器１３の下側や検出器保持台１４の内部等には、Ｘ線検出器１３の下方にある人体へのＸ線照射による被曝を防ぐためにＸ線を遮蔽する鉛などで構成された図示しないＸ線遮蔽部材が設けられている。
【０１１２】
なお、密着撮影を行う場合には、例えば図６に示したようなパネル１３ａの天板側にＸ線の散乱成分を吸収、除去するグリッド１３ｃが設けられたＸ線検出器１３を用いることも可能である。しかし、グリッド１３ｃを使用するとＸ線検出器１３のパネル１３ａに入射するＸ線量が低下することから、グリッド１３ｃを使用する必要がない場合には使用しないことが好ましく、特に位相コントラスト撮影の場合には、通常、グリッド１３ｃは使用されない。そのため、Ｘ線検出器１３に対してグリッド１３ｃを着脱可能に構成することも可能である。
【０１１３】
また、例えば図７に模式的に示すような変形例であってもよい。
図７（Ａ）に示す例は、第二支持軸１２を中心に検出器保持台１４が回動可能で、検出器保持台１４の内側にＸ線検出器１３を挿入できる挿入部を有し、挿入部の一方の面にグリッド１３が設けられている。そして、グリッドを使用する密着撮影時には、第二支持軸１２を中心に検出器保持台１４を回動して、グリッド１３がＸ線管１０側に配置されるようにして、検出器保持台１４の挿入部にＸ線検出器１３を挿入して、Ｘ線撮影する。これにより、グリッド１３で散乱Ｘ線を吸収、除去した密着撮影が可能である。一方、グリッドを使用しない密着撮影や、位相コントラスト撮影では、第二支持軸１２を中心に検出器保持台１４を回動して、グリッド１３がＸ線管１０と反対側に配置されるようにして、検出器保持台１４の挿入部にＸ線検出器１３を挿入して、Ｘ線撮影する。これにより、グリッド１３でＸ線を吸収されず、照射されたＸ線を効率的に活用したＸ線撮影が可能である。
図７（Ｂ）に示す例は、予め検出器保持台１４にグリッド１３ｃを形成し、Ｘ線検出器１３をグリッド１３ｃのＸ線管１０側（図７（Ｂ）上方）の第一挿入部１４ａ及びグリッド１３ｃのＸ線管１０と反対側（図７（Ｂ）の下方）の第二挿入部１４ｂのいずれかに挿入することができるように検出器保持台１４が設けられている。そして、位相コントラスト撮影またはグリッド１３ｃを使用しない密着撮影においてはＸ線検出器１３を第一挿入部１４ａに挿入して、Ｘ線撮影する。これにより、グリッド１３でＸ線を吸収されず、照射されたＸ線を効率的に活用したＸ線撮影が可能である。また、グリッド１３ｃを使用する密着撮影においてはＸ線検出器１３を第二挿入部１４ｂに挿入して、Ｘ線撮影する。これにより、グリッド１３で散乱Ｘ線を吸収、除去した密着撮影が可能である。
【０１１４】
支持内軸４ｂの支持基部３とは反対側の端部には、被写体Ｈを位置固定するための平板状の被写体台１５が支持内軸４ｂの延長方向に延設されるように支持内軸４ｂに取り付けられている。被写体台１５は、カーボン等のＸ線透過性に優れる物質で構成され、或いはＸ線の透過率をできるだけ低下させないように例えば中空に構成される。被写体台１５をハニカム構造のカーボン板等で構成することも可能である。また、例えば、撮影中に被写体Ｈである被験者の手が動かないように固定するために、被写体台１５を樹脂等で形成して被験者の手を載置する被写体台１５の表面部分に手の形に凹凸を形成することも可能である。前記の樹脂などで作製した凸凹をカーボン板などの被写体台の上に載せるようにしてもよい。
【０１１５】
本実施形態では、被写体台１５は、支持内軸４ｂに対して図示しない取付治具を介して着脱自在に取り付けできるようになっており、また、被写体台１５は、支持基軸４を介して支持基部３の昇降にあわせて昇降するようになっている。
【０１１６】
さらに、本実施形態では、被写体台１５は、前記支持外筒４ａとは独立に支持内軸４ｂの中心軸周りに回動可能とされており、また、一定の傾斜角度の範囲内で支持内軸４ｂに対してあらゆる方向に傾斜させることができるようになっている。このように、被写体台１５は、支持基部３を昇降させてその高さを調整したり、支持内軸４ｂに対して傾斜させたりして、被写体Ｈを的確に撮影しつつ例えば椅子Ｘに着座した被検者が疲れにくい姿勢をとることができるような位置に調整されるようになっている。
【０１１７】
なお、本実施形態のように、被写体台１５を支持内軸４ｂに対して着脱可能とする代わりに、支持内軸４ｂとの接点を中心にして被写体台１５を例えば図２において支持内軸４ｂの左右方向に転回させ或いは上下方向に起立させたり垂下させることができるように構成し、または被写体台１５を折り畳むことができるように構成するなどして、被写体台１５を、Ｘ線管１０からＸ線検出器１３に向かうＸ線の光路を妨げない位置に移動させることができるように構成することも可能である。
【０１１８】
また、被写体台１５には、被写体Ｈを上方から適度に圧迫して固定する図示しない圧迫板が必要に応じて設けられ、また、被写体台１５の下方等には、被験者の脚などがＸ線検出器１３にぶつかることを防止しつつＸ線により被曝することなく撮影位置につくことができるように、図示しないプロテクタ等が適宜備えられる。
【０１１９】
また、本実施形態のＸ線画像撮影装置１による撮影においては、図８に示すように、被験者が立膝をした状態で被写体Ｈ（膝部）を横から拡大撮影したり、図９に示すように、被験者が椅子等に座った状態で被写体Ｈ（頸部）を拡大撮影する場合が想定される。このように、被写体Ｈが被写体台から浮いた状態等、被写体Ｈが被写体台に固定されていない状態で拡大撮影する場合、Ｘ線管１０の焦点と被写体Ｈとの距離（Ｒ１）は、被写体台の位置を特定する手法によっては特定することができない。
このため、Ｘ線画像撮影装置１のＸ線管１０の照射口近傍に被写体Ｈの位置を検出する被写体位置検出手段としての測距計２５を設けておき、被写体Ｈが被写体台に固定されていない状態で拡大撮影する場合には、この測距計２５によって被写体Ｈの位置を検出し、Ｘ線管１０の焦点と被写体Ｈとの距離（Ｒ１）を得てもよい。このような測距計２５としては、例えば、被写体Ｈに向けてレーザ光を照射し、その反射を捉えることによって被写体Ｈまでの距離を測定するレーザ式の距離センサ等、既存のものを用いることができる。
また、このような測距計２５により、Ｘ線源の焦点からＸ線検出器に垂直な方向における、Ｘ線管１０の焦点から、Ｘ線検出器で検出されるＸ線の照射範囲内で、被写体の最もＸ線管１０に近い位置までの距離に実質的に相当する長さの情報を得ることができる。そして、Ｘ線源の焦点からＸ線検出器までの距離を、得られた距離で差し引くことで、Ｘ線源の焦点からＸ線検出器に垂直な方向における、Ｘ線検出器で検出されるＸ線の照射範囲内で、被写体の最もＸ線管１０に近い位置からＸ線検出器までの距離に実質的に相当する長さの情報を得ることができる。
【０１２０】
なお、本実施形態のＸ線画像撮影装置１による撮影においては、特に位相コントラスト撮影の際には、被写体Ｈである被験者の身体が動かないように身体を固定するための各種のサポート治具が用いられるが、これらの構成については後述するＸ線画像撮影装置１やＸ線画像撮影システム１００の作用の説明の中で説明する。
【０１２１】
また、本実施形態において、Ｘ線画像撮影装置１を構成するＸ線管１０や絞り１１、装置に電力を供給する電源部２１、支持基部３の昇降や支持外筒４ａの回動、第一アーム６と第二アーム７の伸縮、第一支持軸８周りのＸ線照射器９の回動、第二支持軸１２周りの検出器保持台１４とＸ線検出器１３の回動等を駆動する各駆動装置２２、各部材の移動距離や位置を測定する各エンコーダ２３、被写体Ｈを透過したＸ線量を検出するフォトタイマ２４、測距計２５等は、図１に示すように、バス等で接続されるとともに、Ｉ／Ｆ７２を介してコンソール７０と接続されている。Ｘ線画像撮影装置１を構成するこれらの各部（Ｘ線管１０、絞り１１、駆動装置２２、エンコーダ２３、フォトタイマ２４、測距計２５等）は、コンソール７０からの制御信号に基づいて制御されるようになっている。
また、Ｘ線検出器１３であるＦＰＤもＩ／Ｆ７２を介してコンソール７０と接続されており、Ｘ線検出器１３で検出されたＸ線画像のデータがコンソール７０に送られるようになっている。
【０１２２】
ここで、本実施形態に係るＸ線画像撮影装置１で予定されている密着撮影と位相コントラスト撮影についてその原理を簡単に説明する。
【０１２３】
密着撮影では、図２（Ａ）に示したように、被写体台１５を取り外し、或いはＸ線管１０からＸ線検出器１３に向かうＸ線の光路を妨げない位置に移動させた状態で、被写体ＨをＸ線検出器１３に密着させて撮影が行われる。そして、密着撮影では、通常、Ｘ線管１０の焦点径は前述した３００〜２０００μｍの大焦点径の範囲内に設定され、位相コントラスト撮影と比較して大きい電流値のＸ線が照射されて数十ミリ秒から数百ミリ秒程度の短時間のＸ線撮影が行われる。
【０１２４】
また、密着撮影では、図２（Ａ）から分かるように、被写体Ｈは拡大されず、被写体Ｈの等倍の画像がＸ線検出器１３により検出される。
【０１２５】
このように、密着撮影は、被写体Ｈに、位相コントラスト撮影と比較すると大きい電流値のＸ線を短時間照射して撮影を行うことができるため、被写体Ｈである被験者の身体が動いてもぶれのないＸ線画像を得ることができる。
【０１２６】
また、被験者の身体のうち、密度が低い軟部組織では、その周囲の部分とのＸ線の屈折率の差が小さいためそのエッジ部分が不鮮明になる傾向があるが、密着撮影では、Ｘ線管１０の焦点径が大きいことやＸ線検出器１３のパネル１３ａ内でＸ線の散乱が生じること等によりエッジ部分がさらに不鮮明になり、軟部組織を鮮明に撮影することが難しい。なお、この場合、Ｘ線検出器１３のパネル１３ａの天板側にグリッド１３ｃを設けてＸ線の散乱成分を吸収、除去することも可能であるが、その分パネル１３ａに入射するＸ線量が低下してしまうことについて前述したとおりである。
【０１２７】
一方、位相コントラスト撮影では、図２（Ｂ）に示したように、被写体台１５を設けるなどしてＸ線管１０とＸ線検出器１３との間に被写体Ｈを配置する。すなわち、図５において、被写体台１５とＸ線検出器１３との距離Ｒ２が０ｍでない所定の距離を有するように配置される。
【０１２８】
このように被写体Ｈを配置すると、図１０（Ａ）に示すように、被写体Ｈ内に進入したＸ線は、通常のガラスレンズ等とは逆に被写体Ｈのエッジに近い部分で外側に屈折する。そのため、Ｘ線がＸ線検出器１３に到達する際、被写体Ｈのエッジに近い部分で屈折されたＸ線が被写体Ｈのエッジ部分を通過してきたＸ線と重なり、図１０（Ｂ）に示すように、Ｘ線検出器１３では、被写体Ｈのエッジ部分に到達するＸ線が密になりその部分のＸ線強度が強くなる。反対に、被写体Ｈのエッジから遠い内部部分を透過したＸ線部分ではＸ線が疎になりその部分のＸ線強度が弱くなる。このようにして、位相コントラスト撮影では、検出されるＸ線画像が、被写体Ｈのエッジ部分、特に被写体Ｈのエッジ部分に存在する被験者の身体の軟部組織のエッジ部分が強調された画像となる。
【０１２９】
また、位相コントラスト撮影では、上記のように被写体Ｈの軟部組織全体のエッジ部分が強調されるだけでなく、軟部組織内部で屈折率が周囲の部分と異なる部分の境界部分においても同様のエッジ強調の効果が生じる。そのため、人体の関節部分に存在する骨部、軟骨部、関節液等の構成物はいずれもＸ線に対する屈折率が異なるから、位相コントラスト撮影によってそれらのエッジを強調することにより、前記各構成物の境界が明確な画像を得ることができる。
【０１３０】
また、本実施形態では、図２（Ｂ）や図４に示すように、Ｘ線管１０から照射されるＸ線は、Ｘ線管１０から遠ざかるに従ってコーンビーム状に広がっていくＸ線が用いられている。そのため、位相コントラスト撮影では、被写体台１５に載置、固定された被写体Ｈの拡大された画像を得ることができる。
【０１３１】
拡大画像の等倍撮影の場合の画像（ライフサイズ）に対する拡大率Ｍは、図５に示したように、Ｘ線管１０と被写体台１５との距離Ｒ１、被写体台１５とＸ線検出器１３との距離Ｒ２とした場合、
Ｍ＝（Ｒ１＋Ｒ２）／Ｒ１    …（１）
で与えられる。なお、Ｘ線管１０とＸ線検出器１３との距離Ｒを用いれば、前記（１）式は、
Ｍ＝Ｒ／Ｒ１    …（２）
と表すこともできる。
【０１３２】
拡大率Ｍについては、撮影する対象の部位、またはその部位に対して撮影する大きさによって、適切な大きさが決まってくる。胸部や腹部など大きい部位の全体を撮影しようとするとほぼ等倍の密着撮影を行う必要がある。しかし、手指や足先の場合は、全体を撮影する場合でも拡大率１．２〜３倍程度の拡大撮影が可能であり、位相コントラスト画像を得ることが容易である。また、手指や足先の場合のみならず胸部や腹部などの場合でも、それらの部位の一部を撮影する場合には、２〜５倍程度の拡大スポット撮影により、部位の一部ではあるが非常に鮮明な画像を得ることができる。
【０１３３】
なお、Ｘ線は被写体Ｈにより一部散乱され、被写体台１５とＸ線検出器１３との距離Ｒ２が小さい、すなわち被写体ＨとＸ線検出器１３とが接近していると、被写体Ｈによる散乱Ｘ線がＸ線検出器１３に到達してＸ線画像のコントラストを低下させる。これを解消するためには、Ｘ線検出器１３のパネル１３ａにグリッド１３ｃを設ける場合もあるが、本実施形態では、被写体台１５とＸ線検出器１３との距離Ｒ２を一定距離以上となるように設定して、すなわちエアギャップを設けて、散乱されたＸ線がＸ線検出器１３外に漏れ出てＸ線検出器１３に到達しないように構成されている。
【０１３４】
位相コントラスト撮影では、被写体ＨとＸ線検出器１３との距離Ｒ２が大きい場合、画像の拡大率も大きくなり、エッジ強調効果も大きくなる。また、エッジ強調効果は、Ｘ線管１０に印加される管電圧によっても異なるという特徴があり、Ｘ線管１０に印加される管電圧が高いほどエッジ強調効果が小さくなり、Ｘ線管１０に印加される管電圧が低いほどエッジ強調効果が大きくなる。
【０１３５】
そのため、位相コントラスト撮影では、Ｘ線管１０に印加される管電圧は密着撮影の場合より低くされ、また、Ｘ線管１０の焦点径は前述した１０〜３００μｍの小焦点径の範囲内に設定される。なお、Ｘ線の照射野の上限は、Ｘ線管１０から被写体台１５までの距離Ｒ１、被写体台１５からＸ線検出器１３までの距離Ｒ２、すなわち拡大率Ｍと、Ｘ線検出器１３のパネル１３ａの面積とにより決定される。
【０１３６】
しかし、位相コントラスト撮影では、このように密着撮影の場合よりも弱いＸ線が用いられるため、Ｘ線撮影の撮影時間が比較的長くなる。そのため、その間に被写体Ｈである被験者の身体が動くと、撮影されたＸ線画像がぶれ易いという特徴がある。
【０１３７】
位相コントラスト画像は、前述したように、Ｘ線管１０の焦点から被写体台１５（被写体Ｈ）までの距離をＲ１（ｍ）、被写体台１５（被写体Ｈ）からＸ線検出器１３までの距離をＲ２（ｍ）、焦点径をＤ（ｍｍ）としたときに、０．１≦Ｒ１、０．３≦Ｒ２、Ｄ≦０．３の条件を満たすようにして撮影を行うことにより得ることができる。なお、本実施形態においては、前述のように、Ｘ線管１０とＸ線検出器１３との距離Ｒも可変となっているが、撮影室内等、距離Ｒの設定に制限がある場合には、距離Ｒを固定し、その固定した距離Ｒの中で距離Ｒ１、Ｒ２の比率を変えて最適な条件で撮影することができる。例えば、Ｒ＝３．０（ｍ）に決定した場合、この距離Ｒに対し、Ｒ１＝１．０（ｍ）、Ｒ２＝２．０（ｍ）とする。一般的な撮影室の広さを考慮すると、０．１≦Ｒ１≦２．０、０．３≦Ｒ２≦２．０、０．８≦Ｒ≦３．０の範囲とし、拡大率Ｍを１．５≦Ｍ≦１０、焦点径Ｄ（ｍｍ）を０．００５≦Ｄ≦０．２の範囲とし、この範囲内で拡大画像の視認性との関係を見ながら、経験的、実験的に最適な距離Ｒ、Ｒ１、Ｒ２及び拡大率Ｍ、焦点径Ｄを決定すればよい。
また、被写体台１５を用いずに撮影した場合、Ｘ線管１０から被写体Ｈまでの距離Ｒ１（ｍ）は、Ｘ線源の焦点からＸ線検出器に垂直な方向における、Ｘ線管１０の焦点から、Ｘ線検出器で検出されるＸ線の照射範囲内で、被写体の最もＸ線検出器に近い位置までの距離であっても良いし、Ｘ線源の焦点からＸ線検出器に垂直な方向における、Ｘ線管１０の焦点から、Ｘ線画像検出面で検出されるＸ線の照射範囲内で、被写体の最もＸ線管１０に近い位置までの距離であっても良いし、Ｘ線管１０から被写体Ｈまでの距離を示す距離であれば、他の距離であっても良い。
また、被写体台１５を用いずに撮影した場合、被写体ＨからＸ線検出器までの距離Ｒ２（ｍ）は、Ｘ線画像検出面で検出されるＸ線の照射範囲内で、被写体の最もＸ線画像検出面に近い位置からＸ線検出器１３までの距離であっても良いし、Ｘ線画像検出面で検出されるＸ線の照射範囲内で、被写体の最もＸ線管１０に近い位置からＸ線検出器１３までの距離であっても良いし、被写体ＨからＸ線検出器までの距離を示す距離であれば、他の距離であっても良い。
【０１３８】
焦点径Ｄをこのような範囲とすることで、Ｘ線強度が強く、短時間の撮影が可能となり、被写体Ｈの動きによる運動ボケを小さくさせることができる。なお、より好ましい距離としては、０．５≦Ｒ１≦１．２、０．５≦Ｒ２≦１．２、１．０≦Ｒ≦２．５の範囲を満たし、拡大率Ｍを３≦Ｍ≦８、焦点径Ｄ（ｍｍ）を０．０３≦Ｄ≦０．１５の範囲を満たす設定とすることができる。
【０１３９】
［コンソールの構成］
図１に示すように、本実施形態に係るコンソール７０には、Ｘ線画像撮影装置１やＸ線検出器１３が接続されるＩ／Ｆ７２、Ｘ線画像撮影装置１に対する指示を入力するためのキーボード等を備える入力部１６ａと撮影条件等を表示するためのＣＲＴ（Cathode Ray Tube）ディスプレイ等を備える表示部１６ｂとを備える操作装置１６、ＬＡＮ（Local Area Network）等によりネットワーク８０に接続されコンソール７０と外部装置との間で各種情報の通信を行うネットワーク通信部７３等が設けられている。なお、図４では、コンソール７０が、Ｘ線画像撮影装置１と同じ室内に設置されている場合が示されているが、このほかにも、例えばコンソール７０を別室に設け、Ｘ線画像撮影装置１とコンソール７０とをＬＡＮ（Local Area Network）等で接続するように構成することも可能である。
【０１４０】
また、コンソール７０には、Ｘ線画像撮影装置１に対して各種設定を行い、その動作を制御する制御装置７１が内蔵されている。制御装置７１は、図示しないＣＰＵ（Central Processing Unit）やＲＯＭ(Read Only Memory)、ＲＡＭ（Random Access Memory）等がバスで接続されたコンピュータで構成されている。なお、コンソール７０は、携帯端末であってもよい。
【０１４１】
前述のように、コンソール７０の制御装置７１は、Ｉ／Ｆ７２を介してＸ線画像撮影装置１を構成する各部（Ｘ線管１０、絞り１１、駆動装置２２、エンコーダ２３、フォトタイマ２４、測距計２５等）に制御信号を送信する。
また、制御装置７１は、Ｘ線検出器１３であるＦＰＤに対してＸ線の読み取りタイミング等を指示する制御信号を送信する。
【０１４２】
コンソール７０の制御装置７１には、後述するように、操作装置１６の入力部１６ａを介して撮影を密着撮影で行うか位相コントラスト撮影で行うかの撮影方法が設定されるようになっており、制御装置７１は、前述のような密着撮影、位相コントラスト撮影それぞれの特徴を活かすように、各装置や各部材の動作を制御するようになっている。
【０１４３】
操作装置１６の入力部１６ａとしては、例えば、Ｘ線照射要求スイッチやタッチパネル、マウス、キーボード、ジョイスティック等を用いることが可能である。入力部１６ａは、被写体Ｈに関する被写体情報を入力する被写体情報入力手段として機能する。さらに、入力部１６ａは、拡大撮影における拡大率を特定可能な撮影条件情報、拡大撮影における焦点径を特定可能な撮影条件情報を入力する入力手段として機能する。更に、Ｘ線平均エネルギーを特定可能な撮影条件情報、Ｘ線管の管電流、Ｘ線照射時間等を入力する入力手段として機能する。
【０１４４】
ここで、入力部１６ａから入力される被写体情報としては、被写体Ｈ毎に一義的に決まるコードである被写体ＩＤ、氏名、年齢に関する年齢関連情報、性別、既往症、身長、体重等の情報の他、撮影を行った被写体Ｈの部位に関する撮影部位情報等が挙げられるが、これらに限定されない。
【０１４５】
また、撮影条件情報としては、撮影方法が密着撮影であるか位相コントラスト撮影であるかの別、拡大撮影における拡大率を特定可能な撮影条件情報、拡大撮影における焦点径を特定可能な撮影条件情報の他、Ｘ線平均エネルギーを特定可能な撮影条件情報（Ｘ線源としてＸ線管１０を用いる場合、Ｘ線管への挿入フィルタの種類、Ｘ線管１０の管電圧）、管電流、Ｘ線照射時間等が挙げられるが、これに限られない。
【０１４６】
ここで、拡大撮影（位相コントラスト撮影）での拡大率を特定可能な撮影条件情報とは、拡大率そのものの情報の他、例えば、Ｘ線管１０の焦点からＸ線画像検出面までの距離ＲとＸ線管１０から被写体Ｈ又は被写体台１５までの距離Ｒ１の情報や、Ｘ線管１０から被写体Ｈ又は被写体台１５までの距離Ｒ１と被写体Ｈ又は被写体台１５からのＸ線画像検出面までの距離Ｒ２の情報等、拡大率を特定することのできる情報である。
また、拡大撮影（位相コントラスト撮影）での焦点径を特定可能な撮影条件情報とは、焦点径そのものの情報の他、例えば、Ｘ線源（Ｘ線管１０）の種類と撮影のモード（小焦点撮影か大焦点撮影か等）についての情報等、焦点径を特定することのできる情報である。  ここで、Ｘ線平均エネルギーを特定可能な撮影条件情報は、Ｘ線管の管電圧とＸ線管に挿入されたフィルタの種類の組み合わせの情報であるが、Ｘ線平均エネルギーを特定可能な撮影条件情報は、これに限らない。
【０１４７】
なお、被写体情報及び撮影条件情報を入力する入力手段はコンソール７０の入力部１６ａに限定されない。例えば、Ｘ線画像撮影装置１やＸ線検出器１３に被写体情報や撮影条件情報を入力する入力手段が設けられていてもよい。
また、入力部１６ａから入力される情報はここに例示したものに限定されず、例えば、撮影によって得られたＸ線画像の画像処理条件、画像出力条件や、撮影に使用されたカセッテの選択情報、オーダ選択情報等の入力を行うことができてもよい。
また、被写体情報や撮影条件情報の一部等が入力されることによって、その他の撮影条件情報が自動的に決定されるようにしてもよい。
【０１４８】
また、表示部１６ｂは、例えば、液晶モニタ、ＣＲＴ（Cathode Ray Tube）モニタ等の各種ディスプレイ等を備えて構成され、撮影条件等を表示する。
【０１４９】
制御装置７１のＲＯＭ等のメモリには、Ｘ線画像撮影装置１各部を制御するための制御プログラム及び各種処理プログラムが記憶されており、本実施形態においては、特に拡大撮影における拡大率を特定可能な撮影条件情報や焦点径を特定可能な撮影条件情報やＸ線平均エネルギーを特定可能な撮影条件情報や管電流やＸ線照射時間などの被写体情報とＸ線画像データとの対応付け等を行うためのデータ対応付けプログラムやＸ線撮影を行うためのＸ線撮影プログラムが記憶されている。制御装置７１は、操作装置１６の入力部１６ａから入力されるオペレータの入力に基づいて、メモリから制御プログラム及び各種処理プログラムを読み出して、操作装置１６の表示部１６ｂに制御内容を表示させながらＸ線画像撮影装置１各部の動作を統括的に制御するようになっている。
【０１５０】
本実施形態においては、制御装置７１には、Ｘ線画像撮影装置１で撮影されたＸ線画像のデータがＩ／Ｆ７２を介して送られるようになっており、制御装置７１は、このＸ線画像のデータと、当該Ｘ線画像を撮影した際の撮影方法等の撮影条件情報とを対応付ける対応化手段として機能する。
【０１５１】
そして、撮影方法が位相コントラスト撮影（拡大撮影）である場合には、当該位相コントラスト撮影（拡大撮影）での拡大率を特定可能な撮影条件情報や、当該位相コントラスト撮影（拡大撮影）での焦点径を特定可能な撮影条件情報やＸ線平均エネルギーを特定可能な撮影条件情報や管電流やＸ線照射時間などをＸ線画像のデータと対応付けるようになっている。
なお、Ｘ線画像のデータと対応付けられる拡大率を特定可能な撮影条件情報や焦点径を特定可能な撮影条件情報やＸ線平均エネルギーを特定可能な撮影条件情報や管電流やＸ線照射時間などは、例えば操作装置１６ｂの入力部１６ａから入力された情報であるが、これに限定されない。例えば被写体Ｈが被写体台に固定されていない場合に測距計２５を用いてＲ１を算出し、これに基づいて撮影を行うことにより、当初入力部１６ａ等から入力された撮影条件とは異なる拡大率や焦点径やＸ線平均エネルギーや管電流やＸ線照射時間などで撮影が行われた場合には、Ｘ線画像撮影装置１からＸ線画像のデータと当該撮影の際の実際の撮影条件とがコンソール７０に出力され、コンソール７０の制御装置７１は、Ｘ線画像撮影装置１から出力されたＸ線画像のデータと当該撮影の際の実際の撮影条件とを対応付ける。
【０１５２】
さらに、制御装置７１は、Ｘ線画像のデータと、撮影条件情報と、被写体情報とを対応付ける対応化手段として機能する。
【０１５３】
Ｘ線画像のデータは、撮影方法、位相コントラスト撮影（拡大撮影）での拡大率を特定可能な撮影条件情報、位相コントラスト撮影（拡大撮影）での焦点径を特定可能な撮影条件情報、Ｘ線平均エネルギーを特定可能な撮影条件情報、管電流、Ｘ線照射時間など、被写体情報等と対応付けられた状態で、データサーバ８２に送られ、記憶される。
【０１５４】
また、制御装置７１は、入力部１６ａ等から入力された被写体情報に応じて、撮影における拡大率や焦点径等の撮影条件やＸ線平均エネルギーや管電流やＸ線照射時間などを選択する撮影条件選択手段として機能する。すなわち、制御装置７１は、入力された撮影部位や被写体Ｈを提供する被験者の年齢等に応じて、適切な拡大率、焦点径、Ｘ線平均エネルギー、管電流、Ｘ線照射時間等の各種撮影条件を選択するようになっている。
【０１５５】
また、制御装置７１は、撮影の拡大率等の撮影条件情報を用いて、Ｘ線画像の被写体の長さ関連量を計測する計測手段として機能する。
すなわち、例えば、制御装置７１は、拡大撮影によって得られたＸ線画像のデータについて、当該Ｘ線画像のデータに対応付けられている撮影条件情報に基づいてライフサイズ（実物大のサイズ）を計測し、Ｘ線画像に写っている被写体像の実際の面積、長さ等を計測することができる。これにより、拡大撮影で得られたＸ線画像であっても、被写体Ｈの病変箇所の実際の面積、長さ等や、骨部の長さ、幅等を得ることができる。
【０１５６】
また、制御装置７１は、Ｘ線画像のデータについての各種画像処理を行う。なお、画像処理を行う機能部を制御装置７１とは別に設けてもよい。
【０１５７】
本実施形態においてＸ線画像撮影装置１を制御するコンソール７０の制御装置７１は、上記のような密着撮影と位相コントラスト撮影の特徴を生かすように、各装置や各部材の動作を制御するようになっている。
【０１５８】
具体的には、前述のように、操作装置１６の入力部１６ａを介して撮影を密着撮影で行うか位相コントラスト撮影で行うかの撮影方法が設定されるようになっている。
【０１５９】
また、本実施形態では、撮影方法として密着撮影が設定されると、操作装置１６の表示部１６ｂに入力すべき数値の設定画面が表示されるようになっており、撮影者が入力部１６ａを介してそれらの値を設定するようになっている。密着撮影において設定される値としては、例えば被写体Ｈとしての被験者の身体の撮影部位や、Ｘ線管１０とＸ線検出器１３との距離Ｒ、Ｘ線検出器１３がカセッテ型の嵌め込み式の検出器である場合にはその種類等が挙げられる。
【０１６０】
また、撮影の方向も設定される。すなわち、Ｘ線管１０から鉛直方向真下のＸ線検出器１３に向かってＸ線を照射する場合のＸ線の照射方向を例えば０度としたときの角度が撮影者により入力部１６ａを介して設定される。
【０１６１】
制御装置７１は、Ｘ線管１０とＸ線検出器１３との距離Ｒや撮影方向が設定されると、各種エンコーダ２３の値を確認しながら各駆動装置２２を駆動させて各部材の位置を調整する。具体的には、制御装置７１は、本実施形態では、第一アーム６及び第二アーム７を伸縮させてＸ線管１０とＸ線検出器１３との距離を設定された距離Ｒに調整するとともに、支持外筒４ａを支持基軸４周りに撮影方向として設定された角度だけ回動させて、撮影方向を調整するようになっている。
【０１６２】
また、制御装置７１は、予め据え付けられたＸ線検出器１３或いは嵌め込まれたＸ線検出器１３の種類に応じてそのパネル１３ａの面積をメモリから読み出し、読み出した面積とＸ線管１０とＸ線検出器１３との距離ＲとからＸ線の照射野を算出して、その照射野を実現するようにＸ線管１０の絞り１１の開閉量を決定し、絞り１１の開閉量を決定した開閉量になるように調整する。照射野は、前記によって定まる上限値以上には広がらないようには設定されているが、必要に応じて狭く設定することはできるようになっている。
【０１６３】
また、本実施形態では、Ｘ線撮影条件の各種項目間の制約条件を定めた制約表が予め作成されて制御装置７１のメモリに記憶されている。例えば、表１に示すような、Ｘ線管１０の焦点とＸ線画像検出面との距離Ｒと、拡大率と、焦点径との間の制約表が制御装置７１のメモリに記憶されている。この表１で、選択可能な組み合わせには○印を、選択不能な組み合わせには×印を付している。なお、成行（拡大撮影）とは、前述のように、被写体を被写体台に固定せず、浮かした状態で撮影する場合（図８、図９参照）など、拡大率が成り行きで決まる場合の撮影条件である。
【表１】
2008259693.tif 000003
【０１６４】
また、例えば、表２に示すような、管電圧とフィルタとが対応付けられた制約表が記憶されている。
【表２】
2008259693.tif 000004
【０１６５】
また、例えば、表３に示すような、年齢層と撮影部位と管電圧と拡大率とが対応付けられた制約表が記憶されている。
【表３】
2008259693.tif 000005
【０１６６】
そして、例えば、被写体情報から年齢層が成人で、撮影部位情報から手の撮影と認識し、撮影条件情報として拡大率が２．４倍（拡大撮影）と設定されると、表１から、Ｒが２ｍで焦点径が２００μｍ、Ｒが１ｍで焦点径が２００μｍ、Ｒが０．７ｍで焦点径が２００μｍ、Ｒが０．７ｍで焦点径が７０μｍが選択可能な撮影条件に設定され、また、表３から、管電圧が１００ｋＶｐ、５０ｋＶｐ、３０ｋＶｐが選択可能な撮影条件に設定される。そして、例えば、操作者の操作入力により、Ｒが０．７ｍで焦点径が７０μｍが選択され、管電圧が３０ｋＶｐが選択されると、表２から、フィルタとして、アルミとモリブデンが選択可能な撮影条件に設定される。そして、例えば、フィルタとしてモリブデンが選択される。
【０１６７】
なお、メモリに記憶されている制約表はここに示したものに限らす、例えば、拡大率、年齢層、撮影部位、距離Ｒ、照射線量（ｍＡｓ値）との制約を定める制約表が予め作成されてメモリに記憶されており、制御装置７１は、上記のように被写体情報から年齢層と、撮影部位情報を取得すると、撮影条件情報から、距離Ｒと照射線量の選択可能な撮影条件を決め、操作者の操作入力により選択された距離Ｒと照射線量を設定するようにしてもよい。
【０１６８】
なお、被写体情報と撮影部位情報と撮影条件情報の組み合わせによっては、選択可能な条件が無い場合もある。この場合、制御装置７１は、操作装置１６の表示部１６ｂに警告を表示したり音声により警告を発するなどして、撮影者の注意を喚起し、撮影条件の変更を促すようにしても良い。
【０１６９】
Ｘ線撮影時には、制御装置７１は、電源部２１からＸ線管１０に電力を供給して被写体Ｈに対してＸ線を照射させる。また、制御装置７１は、被写体Ｈを透過したＸ線量が所定の線量に達してフォトタイマ２４から信号が送信されてくると、電源部２１からＸ線管１０への電力の供給を停止してＸ線の照射を停止させる。なお、Ｘ線の照射条件は、フォトタイマ２４が検出するＸ線量以外の要素、すなわち例えばＸ線検出器１３の種類等も加味されて適宜設定される。従って、正確には、制御装置７１は、フォトタイマ２４から信号が送信されてくるなど予め設定された照射条件が満たされると、Ｘ線の照射を停止させるようになっている。
【０１７０】
一方、撮影方法の設定において、位相コントラスト撮影が設定されると、制御装置７１は、前述したようにＸ線管１０の焦点径を、１０〜３００μｍの小焦点径の範囲内に予め設定された焦点径に変更する。また、被写体台１５が取り付けられていない場合には、制御装置７１は、操作装置１６の表示部１６ｂに警告を表示したり音声により警告を発するなどして、撮影者の注意を喚起するようになっている。
【０１７１】
また、本実施形態では、撮影方法として位相コントラスト撮影が設定されると、操作装置１６の表示部１６ｂに入力すべき数値の設定画面が表示されるようになっており、撮影者が入力部１６ａを介してそれらの値を設定するようになっている。
【０１７２】
位相コントラスト撮影において設定される値としては、上記の密着撮影の場合と同様に、撮影の方向、被写体Ｈとしての被験者の身体の撮影部位や、Ｘ線検出器１３がカセッテ型の嵌め込み式の検出器である場合にはその種類等が挙げられる。
【０１７３】
また、前述したように位相コントラスト撮影では拡大撮影ができるため、本実施形態では、制御装置７１は、撮影部位が入力されると、操作装置１６の表示部１６ｂにその撮影部位に応じた拡大率Ｍの推奨値を表示させるようになっている。すなわち、本実施形態では、メモリに、撮影部位、拡大率Ｍの推奨値、Ｘ線管１０と被写体台１５との距離Ｒ１、被写体台１５とＸ線検出器１３との距離Ｒ２、Ｘ線管１０の焦点径、撮影条件すなわち管電圧や照射線量（ｍＡｓ値）との相関を定めるテーブルが予め作成されて記憶されている。なお、拡大率Ｍの推奨値は撮影部位により適宜設定されている。また、撮影対象の画像がＸ線検出器１３からはみ出さないように拡大率Ｍの上限値が撮影部位ごとに設定されており、撮影部位が入力されると拡大率Ｍの上限値も表示されるようになっている。または、画像がはみ出すような距離Ｒ１、Ｒ２には設定できないようにされていてもよい。
【０１７４】
そして、制御装置７１は、撮影者により拡大率Ｍの推奨値が承認され設定されると、テーブルを参照して撮影部位に対応する距離Ｒ１や距離Ｒ２、Ｘ線管１０の焦点径に基づいてＸ線管１０に印加すべき管電圧と照射する照射線量とを決定する。また、制御装置７１は、メモリから読み出したＸ線検出器１３のパネル１３ａの面積と、距離Ｒ１と距離Ｒ２との関係とからＸ線の照射野を算出して、その照射野を実現するようにＸ線管１０の絞り１１の開閉量を調整する。そして、各エンコーダ２３の値を確認しながら各駆動装置２２を駆動させて第一アーム６や第二アーム７を伸縮させて距離を調整し、支持外筒４ａを支持基軸４周りに撮影方向として設定された角度だけ回動させて撮影方向を調整する。
【０１７５】
また、本実施形態では、拡大率Ｍの推奨値に関わらず、撮影者が自ら、Ｘ線管１０と被写体台１５との距離Ｒ１と、被写体台１５とＸ線検出器１３との距離Ｒ２とを入力できるようにもなっている。前述したように、位相コントラスト撮影ではＸ線管１０から照射されるＸ線の強度が密着撮影の場合よりも弱いため、Ｘ線撮影の撮影時間が長くなる傾向があるが、Ｘ線管１０と被写体台１５との距離Ｒ１を短くすればより短時間で撮影を行うことが可能となる。上記の構成は、このように撮影者の判断で距離Ｒ１や距離Ｒ２を可変とするためのものである。
【０１７６】
そして、メモリには、このように撮影者が手動で撮影条件を設定するためのテーブルも用意されており、テーブルでは、前記距離Ｒ１、距離Ｒ２（または拡大率Ｍ）、Ｘ線管１０の焦点径、撮影条件（管電圧、照射線量）との相関が定められて作成されている。このテーブルでは、撮影されるＸ線画像のボケや幾何学的不鋭を抑えるために、Ｘ線管１０の焦点径に応じて設定できる拡大率Ｍの最大値が設定されており、テーブル上の拡大率Ｍ、または距離Ｒ１と距離Ｒ２とから前記（１）式に従って算出される拡大率Ｍが大きくなり最大値に達すると、それ以上の拡大率Ｍでは、対応するＸ線管１０の焦点径が小さくなるように設定される。
【０１７７】
また、本実施形態では、撮影部位によって、撮影時間の上限が予め設定されている。例えば撮影部位が心臓であれば、心臓は動きが速いため撮影時間が長いと撮影されたＸ線画像がボケたものとなる。そのため、例えば撮影部位が心臓であれば１／２０〜１／３０秒、撮影部位が手であれば０．３〜０．５秒などと撮影時間の上限が設定される。制御装置７１は、前記撮影条件から算出されるＸ線の照射時間すなわち撮影時間が上限を超える場合には、操作装置１６の表示部１６ｂに警告を表示したり音声により警告を発するなどして、撮影者の注意を喚起するようになっている。
【０１７８】
さらに、例えば被験者が非常に太っているような場合には、Ｘ線の透過率が低下し検出器に入射するＸ線量が低減するので、管電圧を上げて撮影時間を短くする必要がある。そのため、本実施形態では、操作装置１６の入力部１６ａを介して被験者の体型や体重等を入力することができるようになっており、制御装置７１は、予め作成された被験者の体型や体重等と管電圧の上昇値との相関を定めたテーブルに従って管電圧を上昇させるようになっている。
【０１７９】
また、撮影部位の厚みが厚ければ同様に管電圧を上昇させて撮影時間を短縮させる必要があり、また、被験者の年齢によっても照射するＸ線の線量を変更した方がよい場合もある。このように、撮影部位に厚みや被験者の年齢等でさらに細かく撮影条件を調整するように構成することも可能である。
【０１８０】
なお、Ｘ線管１０の焦点径や被写体台１５の有無、Ｘ線検出器１３の種類や有無等が正常でない場合に警告を発したり、グリッド１３ｃを配置する必要がないのに配置されている場合に警告を発する等のインターロック制御は適宜行われる。また、前記距離Ｒや距離Ｒ１、Ｒ２によりＸ線検出器１３の読み取りのゲインが調整可能であることは言うまでもない。
【０１８１】
［その他のシステム構成］
本実施形態において、コンソール７０は、ネットワーク通信部７３を介して各種の外部機器と接続される。コンソール７０と接続される外部装置としては、図１に示すように、例えばＨＩＳ／ＲＩＳサーバ８１、データサーバ８２、ビューワ８３、イメージャ８４等がある。ネットワーク通信部７３は、ＤＩＣＯＭ（Digital Imaging and Communications in Medicine）等所定のプロトコルに従ってＸ線画像のデータをこれらの外部装置に出力する。なお、データサーバ８２、ビューワ８３、イメージャ８４等は１つのネットワーク８０上に複数接続されていてもよい。
【０１８２】
ＨＩＳ／ＲＩＳサーバ８１は、病院等、施設内の情報システムを管理するサーバである。なお、ＨＩＳはHospital Information Systemの略称であり、患者の個人情報、診療費の会計処理等を統括管理する病院情報システムであり、ＲＩＳはRadiology Information Systemの略称であり、ＣＲ等の放射線検査等の予約、検査受付、検査データの読影、保管等を一貫して行う放射線科情報システムである。
【０１８３】
本実施形態において、コンソール７０の制御装置７１は、被写体ＩＤが入力されると、当該被写体ＩＤに対応する被写体情報（例えば、被写体Ｈを提供する被験者の氏名、性別、年齢、身長、体重等）をＨＩＳ／ＲＩＳサーバ８１から取得することができるようになっている。
【０１８４】
データサーバ８２は、Ｘ線画像撮影装置１で撮影され、コンソール７０を介して送られるＸ線画像のデータを保存するデータ保存手段である。本実施形態においては、前述のように、Ｘ線画像のデータにはコンソール７０の制御装置７１において、各種の撮影条件情報、被写体情報等が対応付けられるようになっており、データサーバ８２は、これら各種の撮影条件情報、被写体情報等が対応付けられた状態でＸ線画像のデータを保存する。
なお、別途データサーバ８２を設けずに、コンソール７０内にＸ線画像のデータ等を保存するデータ保存手段を設けてもよい。
【０１８５】
ビューワ８３は、図示しない制御部、入力部、表示部等を備えており、通常、医師等が診断や読影を行うのに用いるコンピュータである。ビューワ８３の制御部は、例えばＣＰＵ、ＲＯＭ、ＲＡＭ等（いずれも図示せず）で構成されており、ＲＯＭには、各種の制御プログラムが記憶されている。本実施形態においては、特に被写体ＩＤ等からＸ線画像のデータや撮影条件情報等を検索するデータ検索プログラム、検索されたＸ線画像等を表示させる表示プログラム等がＲＯＭに記憶されている。
ビューワ８３は、コンソール７０から出力されたＸ線画像のデータに基づいてＸ線画像を表示する表示手段として機能する。ビューワ８３は、Ｘ線画像のデータに対応付けられている撮影条件情報を用いて、Ｘ線画像の被写体像を所定倍率にして表示させることができる。すなわち、例えば位相コントラスト撮影によって撮影されたＸ線画像について、当該Ｘ線画像のデータに対応付けられている撮影時の拡大率等の情報に基づいて、被写体像のサイズを調整し、ライフサイズ（等倍）で表示させること等が可能である。
【０１８６】
また、ビューワ８３は、データ保存手段であるデータサーバ８２から、検索により、Ｘ線画像のデータとこれに対応する撮影条件情報とを得ることができる検索手段である。例えば、図示しない入力部（例えばキーボード等）から被写体ＩＤを入力することにより、当該被写体ＩＤに対応する被写体のＸ画像のデータ及びその撮影条件情報を取得し、表示させる。なお、検索手段はビューワ８３に限定されない。例えば、コンソール７０の操作装置１６が検索手段として機能し、入力部１６ａから被写体ＩＤ等を入力することにより、データサーバ８２内に保存されたＸ線画像のデータ及びこれに対応する撮影条件情報を取得して表示部１６ｂに表示させてもよい。
【０１８７】
イメージャ８４は、コンソール７０から出力されたＸ線画像データに基づいてＸ線画像をフィルムなどの画像記録媒体に記録する。
【０１８８】
［Ｘ線画像撮影装置の構成の第１の変形例］
続いて、上記のＸ線画像撮影装置１の第１の変形例の構成について説明する。
【０１８９】
第１の変形例では、図１１に示すように、Ｘ線画像撮影装置１は、ベッド型の被写体載置装置３０と合わせて用いられ、第１の撮影システム２００を構成する。なお、この場合、Ｘ線画像撮影装置１は、通常、被写体台１５が取り外され或いは撮影の障害にならない位置に移動されて用いられる。
【０１９０】
被写体載置装置３０は、図１２に示すように、台座部３１と、台座部３１上を矢印方向に移動可能とされた被写体台部３２とを備えている。また、台座部３１に対して被写体台部３２が上下方向に移動できるように構成することも可能である。
【０１９１】
被写体台部３２は、一般に使用されるアクリル板や、Ｘ線画像撮影装置１の被写体台１５と同様にカーボン等のＸ線透過性に優れる物質で構成され、或いは中空に構成される。被写体台部３２をハニカム構造のカーボン板等で構成することも可能である。また、被写体台部３２の突出部分Ａの撮影部位が載置される部分を薄く形成したり穴をあけたりしてもよい。また、アクリル板の一部のＸ線を透過させるべき位置をくり抜き、その位置をカーボン板にしてもよい。
【０１９２】
Ｘ線画像撮影装置１のＸ線検出器１３は、台座部３１からはみ出した被写体台部３２の突出部分Ａの下方に配置され、Ｘ線画像撮影装置１のＸ線管１０は、突出部分Ａを挟んでＸ線検出器１３の反対側、すなわち図１２の場合は突出部分Ａの上方に配置される。なお、突出部分Ａの下方にＸ線管１０を配置し、突出部分Ａの上方にＸ線検出器１３を配置することも可能である。
【０１９３】
被験者は、被写体台部３２の突出部分Ａに被写体Ｈである撮影部位を載置させる。この場合、被験者自身が被写体台部３２上に座ったり横臥したりしてもよく、また、椅子に腰掛けるなどして撮影部位を被写体台部３２の突出部分Ａに載置させてもよい。
【０１９４】
被写体Ｈの撮影は、Ｘ線画像撮影装置１により行われ、その制御は前述したとおりである。その際、距離Ｒ１をＸ線管１０と被写体台部３２との距離とし、距離Ｒ２を被写体台部３２とＸ線検出器１３との距離として制御が行われる。
【０１９５】
なお、ベッド型の被写体載置装置３０を、図１２に示したような被写体台部３２が片持ち支持されたような構成とする代わりに、例えば４本の脚部を有する通常のベッド型とすることも可能である。この場合、被写体台部３２が４本の脚部で支持される構造となる。また、被写体台部３２の下方にＸ線画像撮影装置１のＸ線検出器１３やＸ線管１０を挿入することができる構成であれば、他の構成とすることも可能である。
【０１９６】
［Ｘ線画像撮影装置の構成の第２の変形例］
次に、上記のＸ線画像撮影装置１の第２の変形例の構成について説明する。
【０１９７】
第２の変形例では、図１３に示すように、Ｘ線画像撮影装置１は、当該Ｘ線画像撮影装置１に備えられたＸ線検出器１３とは別のＸ線検出器５０と合わせて用いられ、第２の撮影システム３００システムを構成する。なお、この場合、Ｘ線画像撮影装置１の被写体台１５やＸ線検出器１３は、撮影の障害にならなければ、取り付けられていても取り外されていてもよい。
【０１９８】
本実施形態の撮影システム２００では、Ｘ線画像撮影装置１のＸ線照射器９が第一アーム６の先端部から延出された第一支持軸８周りに回動されていわば横向きにされ、Ｘ線管１０からＸ線を照射し、被写体Ｈを透過したＸ線を、前記別のＸ線検出器５０に照射して検出するようになっている。
【０１９９】
この場合の被写体Ｈの撮影は第２の撮影システム３００全体で行われ、その制御は前述したＸ線画像撮影装置１単独で撮影を行う場合と同様に行われる。
【０２００】
なお、図１３では、被写体ＨをＸ線検出器５０に密着させて撮影する密着撮影の場合が示されているが、Ｘ線管１０とＸ線検出器５０との間に適宜被写体台を配置して、位相コントラスト撮影を行うように構成することも可能である。
【０２０１】
また、図１３では、別のＸ線検出器５０が支柱に固定され、位置が固定された状態に表現されているが、これに限定されず、別のＸ線検出器５０を移動できる構成とすることも可能である。また、その際、別のＸ線検出器５０をＸ線画像撮影装置１のＸ線管１０の移動に合わせて移動させるなど種々の制御のしかたで構成することが可能である。
【０２０２】
［作用］
次に、本実施形態に係るＸ線画像撮影装置１又は第１、第２の撮影システム２００、３００、及びこれを含んで構成されるＸ線画像撮影システム１００の作用について説明する。
【０２０３】
まず、本実施形態に係るＸ線画像撮影システム１００によるＸ線画像撮影の基本的な手順について、図１４を参照しつつ説明する。Ｘ線画像撮影及びその後の処理は、コンソール７０の制御装置７１とＸ線撮影プログラム、データ対応付けプログラムとが協働することにより実現されるものである。
【０２０４】
Ｘ線撮影を行う際には、まず、被写体Ｈを特定する被写体ＩＤをコンソール７０の入力部１６ａから入力する（ステップＳ１）。被写体ＩＤが入力されると、制御装置７１は、当該被写体ＩＤに基づいてＨＩＳ／ＲＩＳサーバ８１から当該被写体ＩＤに対応する被写体Ｈの年齢関連情報や撮影部位情報や撮影方法情報などを含む被写体情報を取得する（ステップＳ２）。なお、このような被写体ＩＤとしては、病院又は施設内で、被写体を実質的に識別できるものであれば良く、例えば、病院または施設内で設定した被写体のＩＤコード、被写体の国民番号、被写体の氏名、被写体を撮影依頼に関わる検査ＩＤ（検査ＩＤとは撮影依頼、即ち検査毎の識別コードである。）などが挙げられるが、これらに限らない。
【０２０５】
被写体情報が取得されると、制御装置７１は、この被写体情報に基づいて被写体Ｈの撮影部位や密着撮影を行うか拡大撮影を行うかといった撮影方法が選択する（ステップＳ３）。さらに、制御装置７１は、被写体情報、及びこれに基づいて選択された撮影部位、撮影方法に基づく撮影条件のデフォルト値と、当該被写体情報、撮影部位、撮影方法のもとで選択可能な撮影条件を、メモリ等に記憶されている制約表に基づいて特定する。また、選択可能な撮影条件の内、過去最も良く選択された条件を選択する等の方法により、デフォルトの撮影条件を特定する（ステップＳ４）。なお、制約表は、例えば、上述した制約表である。そして、特定された選択可能な撮影条件とデフォルト撮影条件を、操作者が理解容易な表示画面で表示する（ステップＳ５）。表示されたデフォルト撮影条件を承認するか、他の撮影条件を選択するかを、操作者が入力すると、制御装置７１は撮影者の承認が入力されたか否かを判断し（ステップＳ６）、承認が入力されない場合（ステップＳ６；ＮＯ）には、撮影条件を修正するための処理を行う。具体的には、選択可能な撮影条件を選択するための撮影条件設定用の画面を表示部１６ｂに表示させて、から特定の撮影条件を選択すると、必要な撮影条件の絞込みのための撮影条件設定用画面を表示し、選択されると、次に必要な撮影条件の絞込みのための撮影条件設定用画面を表示することを、必要な回数繰り返して、撮影条件が絞り込まれる（ステップＳ７）。
【０２０６】
そして、撮影条件の修正が完了すると、ステップＳ６に戻って当該撮影条件について撮影者の承認が入力されたか否かを判断する。
【０２０７】
撮影条件の承認が入力されると（ステップＳ６；ＹＥＳ）、制御装置７１は、当該撮影条件で撮影を行うように撮影条件を設定する（ステップＳ８）。そして、制御装置７１は、撮影条件が未設定の撮影があるか否かを判断し（ステップＳ９）、未設定のものがある場合（ステップＳ９；ＹＥＳ）にはステップＳ３に戻って当該撮影についての撮影条件の設定を行う。予定されている全ての撮影について撮影条件が設定されたと判断すると（ステップＳ９；ＮＯ）、制御装置７１は、Ｘ線画像撮影装置１の焦点径、被写体台１５やＸ線検出器１３の位置等を設定された各撮影条件に合致するように調整し、Ｘ線管１０から所定線量のＸ線を照射するようにＸ線画像撮影装置１の各部を制御する。
【０２０８】
次に、Ｘ線撮影が行われると、撮影されたＸ線画像のデータがＸ線画像撮影装置１からコンソール７０送られ、コンソール７０の制御装置７１は、Ｘ線画像のデータと、撮影条件情報及び被写体情報とを対応付ける。そして、相互に対応付けられたＸ線画像のデータ、撮影条件情報及び被写体情報は、ネットワーク８０を介してデータサーバ８２に送られ、相互に対応付けられた状態で記憶される。
【０２０９】
なお、本実施形態においては、Ｘ線画像撮影装置１及び第１、第２の撮影システム２００、３００によるＸ線撮影の手法として、種々の手法をとることができる。
【０２１０】
例えば、まず、密着撮影で被写体Ｈ全体を等倍撮影し、そのＸ線画像中から患部と判断される位置を特定して、位相コントラスト撮影に切り換えることで、患部部分が的確に撮影され、かつ、軟部組織のエッジ部分が強調された鮮明なＸ線画像を得ることができる。なお、すでに患部の位置が分かっていれば、最初から位相コントラスト撮影を行ってもよい。
【０２１１】
また、被写体台１５または被写体台部３２とＸ線検出器１３や別のＸ線検出器５０とを当接させた状態、すなわち前記距離Ｒ２を０ｍとした状態で、Ｘ線管１０から弱いＸ線を照射して、被写体Ｈを動かし、いわば動画的にＸ線画像を得る。そして、患部と判断される位置が特定された段階で、被写体台１５や被写体台部３２の位置を変えずにＸ線管と検出器を適当な位置に移動させて位相コントラスト撮影に切り換える。このようにしても、患部部分が的確に撮影され、かつ、軟部組織のエッジ部分が強調された鮮明なＸ線画像を得ることができる。
【０２１２】
また、例えば、被験者が手を握った状態や開いた状態で撮影したり、或いは膝の屈伸を種々の膝の角度において撮影するなどして、被験者の身体の機能診断を行うことも可能である。
【０２１３】
また、本実施形態のＸ線画像撮影装置１や第１、第２の撮影システム２００、３００においては、いわゆるトモシンセシス撮影を行うことも可能である。トモシンセシス撮影とは、図１５に示すように、被写体Ｈの上下でＸ線管１０とＸ線検出器１３や別のＸ線検出器５０を互いに反対方向に平行移動させながら被写体Ｈを撮影し、被写体Ｈを３次元的に撮影する手法である。
【０２１４】
この場合、第２の撮影システム３００においては、Ｘ線管１０と別のＸ線検出器５０とが図１５に示したような位置関係を保ちながら移動するように動作が制御される。また、Ｘ線画像撮影装置１や第１の撮影システム２００であれば、Ｘ線画像撮影装置１の支持基軸４や第一アーム６、第二アーム７等の構造から分かるように、Ｘ線管１０を第一支持軸８周りに回動させたりＸ線検出器１３を第二支持軸１２周りに回動させたりすることなく、第一アーム６及び第二アーム７の伸縮とそれらの支持基軸４周りの回動とを調整するだけでトモシンセシス撮影を実行することができ、非常に容易にトモシンセシス撮影を実現することができる。
【０２１５】
次に、撮影部位や撮影対象ごとに、本実施形態のＸ線画像撮影装置１や第１、第２の撮影システム２００、３００を用いたＸ線撮影の実施例を示す。
【０２１６】
なお、以下の実施例において、Ｘ線画像撮影装置１や第１、第２の撮影システム２００、３００のいずれかについて説明を省略する場合があるが、説明を省略された装置やシステムによってもその実施例を実現可能であることは言うまでもない。また、以下では、Ｘ線管１０とＸ線検出器１３、５０とを被写体Ｈの上下方向に配置する場合を縦方向、Ｘ線管１０とＸ線検出器１３、５０と被写体Ｈの左右方向に配置する場合を横方向という。縦方向の撮影においては、Ｘ線管１０を被写体Ｈの上方に配し、Ｘ線検出器１３、５０を被写体Ｈの下方に配置して行われることが多いが、Ｘ線管１０を被写体Ｈの下方に、Ｘ線検出器１３、５０を被写体Ｈの上方に配置して撮影することも可能である。さらに、以下の実施例で縦方向の撮影または横方向の撮影についてのみ記載されている場合にも、横方向や縦方向の撮影が可能であることは言うまでもない。
【０２１７】
まず、手や指の撮影においては、一般的には、図４に示したように、被験者が椅子Ｘに着座した状態で、手や指を、密着撮影であればＸ線画像撮影装置１のＸ線検出器１３上に載置し、位相コントラスト撮影であれば被写体台１５上に載置して、縦方向の撮影を行う。
【０２１８】
前述したように、位相コントラスト撮影では密着撮影に比べて撮影時間が長くなる傾向にあるため、被写体Ｈである手や指が動かないように固定することが行われる。被写体台１５を樹脂等で形成し、被写体台１５の表面部分に手の形に凹凸を形成したり、被写体Ｈを上方から適度に圧迫して固定する圧迫板を設けることについては上記構成で述べたが、この他にも、図１６に示すように親指と人差指の間に三角形のマグネット６０を配置したり、図１７に示すように被検者の腕部を保持する腕保持部６１を設けたりすることも可能である。なお、図１７中、６１ａは左腕用、６１ｂは右腕用の腕保持部である。
【０２１９】
また、図１８に示すように、被験者の手首や手の甲、指等を固定する取り外し可能なバンド６２を設けることも可能である。このように、腕部や手首、手の甲、指等を固定することで手や指の動きを防止することができる。さらに、図示を省略するが、指を嵌め込んで固定するためのサポート治具を、Ｘ線吸収率が低い発泡スチロール等で構成することも可能である。
【０２２０】
なお、第１の撮影システム２００を用いて手や指のＸ線撮影を行うこともできる。この場合、上記でＸ線画像撮影装置１の被写体台１５の構成やそれに設置するサポート治具の構成を、被写体載置装置３０の被写体台部３２に適用することで同様の機能を果たすことができる。
【０２２１】
次に、肘の撮影においても、前記手や指の撮影と同様に撮影を行うことができる。肘の撮影においては、図１９（Ａ）、（Ｂ）に示すように、被験者は被写体台１５上や被写体台部３２上、或いはＸ線検出器１３、５０上に肘を曲げたり伸ばしたりした状態で載置する。そして、この場合も位相コントラスト撮影を行う場合には、被験者の手首や腕部等をバンド６２等のサポート治具で被写体台１５や被写体台部３２に固定するなどして、被写体Ｈが動くことを防止することができる。
【０２２２】
次に、肩の撮影においては、Ｘ線画像撮影装置１や第２の撮影システム３００を用いて横方向の撮影を行うことができる。例えばＸ線画像撮影装置１で位相コントラスト撮影を行う場合、図２０（Ａ）、（Ｂ）に示すように、支持基軸４周りに第一アーム６と第二アーム７とを略９０°回動させ、被写体台１５も支持内軸４ｂに対して略９０°回動させる。
【０２２３】
そして、被験者を椅子に着座させるなどして被写体台１５のＸ線管１０に対向する側に配置させ、被写体Ｈである被験者の肩を適切な位置に配置して撮影を行う。この場合、被験者の脇の下や胸をバンド等のサポート治具で固定したり、肩にサポート治具を添えるようにして固定することで、被験者が動くことを防止することができる。なお、密着撮影では、被験者をＸ線検出器１３や別のＸ線検出器５０に密着するように配置する。
【０２２４】
また、肩の撮影を、縦方向の撮影で行うことも可能である。この場合、例えば図２１（Ａ）に示すようなサポート治具６３、６４を用いるとよい。サポート治具６３、６４を一定の間隔をおいて被写体台１５上や被写体台部３２上に配置する。そして、図２１（Ｂ）に示すように、サポート治具６３の傾斜面Ｂに被験者の前胸部を当接させ、サポート治具６３の頂面Ｃに被験者の顎を当接させた状態で、この場合は右腕をサポート治具６４に載せる。そして右肩がサポート治具６３、６４の間隙部分Ｄの上部に配置される状態としてＸ線撮影を行う。
【０２２５】
なお、左肩を撮影する場合には、サポート治具６４をサポート治具６３の左側に配置する。また、このように被験者がうつ伏せの状態で撮影する場合だけでなく、サポート治具６３の傾斜面Ｂに被験者の背面を当接させサポート治具６３の頂面Ｃに被験者の後頭部と当接させた状態でサポート治具６４に腕を載せることで、仰向けの状態で撮影することもできる。
【０２２６】
次に、頭部や頚部の撮影においても、肩の撮影の場合と同様に、図２０（Ａ）、（Ｂ）に示したように被写体台１５のＸ線管１０側に被験者を椅子等に着座させた状態で、Ｘ線管１０とＸ線検出器１３、５０とを横方向に配置して横方向の撮影を行うことができる。また、図１１、図１２に示した第１の撮影システム２００のベッド型の被写体載置装置３０の被写体台部３２上に被験者を仰向きやうつ伏せの状態で横臥させた状態で、縦方向の撮影を行うことができる。
【０２２７】
なお、頭部や頚部の撮影においては、被験者がＸ線管１０の方向を向いたりＸ線管１０に対して背を向けたりする場合だけでなく、被験者がＸ線管１０に対して横を向くように配置して、頭部や頚部を側面から撮影することも可能である。図１１に示した第１の撮影システム２００では、頭部や頚部を側面から撮影する場合、被験者は被写体台部３２上で図中の右側或いは左側を向くように横臥することになるが、その場合、頭部と被写体台部３２との間に図示しない枕状のサポート治具等を配置するなど被験者に無理がかからないような措置がとられる。
【０２２８】
また、頭部や頚部以外の撮影部位や撮影対象の撮影においても同様であるが、Ｘ線管１０とＸ線検出器１３を、図２０（Ａ）に示したように床面に対して水平に配置するだけでなく、図２２や図２３に示すように、被写体Ｈに対して斜め上方や斜め下方から撮影するように配置することも可能である。第２の撮影システム３００においても同様に配置することができる。また、第１の撮影システム２００において被写体台部３２に被験者が横臥した状態で斜め上方や斜め下方から撮影することも可能である。
【０２２９】
次に、胸部や腹部、腰部の撮影においては、通常のレントゲン撮影と同様に被験者が起立した状態或いは椅子等に着座した状態で、胸部や背部にＸ線検出器１３、５０や被写体台１５に当接させる状態で撮影される。また、被験者が第１の撮影システム２００の被写体台部３２上に仰向け、うつ伏せまたは横向きに横臥した状態で撮影される。
【０２３０】
なお、サポート治具等は、必要に応じて適宜用いられる。また、被験者の上方にぶら下がり棒等を設置して、被験者が棒等につかまった状態で撮影することも可能である。
【０２３１】
次に、膝や足首、足の指等を含む脚部の撮影においては、図２０（Ｂ）と同様に装置を上方から見た図を用いて示すと、図２４に示すように、例えば横方向に配置されたＸ線管１０とＸ線検出器１３、５０との間で椅子Ｘに着座した被験者の脚部を、サポート治具６５に固定し、そのサポート治具６５を被写体台１５に固定して撮影を行う。また、第１の撮影システム２００の被写体台部３２上に被験者が仰向け、うつ伏せまたは横向きに横臥した状態で撮影される。
【０２３２】
その際、例えば足首を固定するサポート治具６５として、図２５に示すように、被験者の膝下の部分に取り付けるくの字状のサポート治具６５が挙げられる。このようなサポート治具６５で足首を固定することで、被験者の足首が動くことを防止することができる。また、このサポート治具６５を被写体台１５やＸ線検出器１３、５０に固定すれば、被験者は楽に撮影を受けることができる。
【０２３３】
図２４に示したようにサポート治具６５を略垂直方向を向く被写体台１５に固定する代わりに、被写体台１５を略水平方向を向くようにしてサポート治具６５をその上に固定してもよく、また、例えば床面Ｆ上に図示しない台やテーブルを置いてその上に固定するようにしてもよい。その際、サポート治具６５の高さや水平方向の位置が適切な位置に調整できるように、サポート治具６５の被写体台１５への取り付け位置や台やテーブルの高さ等が調整される。また、サポート治具６５をＸ線画像撮影装置１の支持基軸４に直接固定するように構成してもよい。さらに、サポート治具６５の短片部６５ａの長片部６５ｂに対する角度を可変にして、角度を調整して使用するように構成することもできる。
【０２３４】
また、図２６（Ａ）に示すように、サポート治具６５にさらにバンド６６を備えるように構成すれば、被験者の脚部を確実に固定してその動きをより確実に防止することができる。さらに、足首に対して縦方向の撮影を行う場合には、図２６（Ｂ）に示すように、サポート治具６５に、脚部を両側面から挟持する翼片部６７を設けて固定するように構成してもよい。
【０２３５】
被験者の膝を撮影する場合にも、同様のサポート治具を用いて被験者の脚部を固定して撮影することができる。また、例えば第１の撮影システム２００の被写体台部３２上の被験者の膝を撮影する場合、図２７に示すように、被験者の膝を含む脚部を覆い、膝の部分の上下に開口６８ａが設けられたサポート治具６８で被験者の脚部を固定してもよい。
【０２３６】
また、図１１、図１２に示した被写体載置装置３０の被写体台部３２の突出部分Ａの先端部分を図２８に示すように屈曲させ、その屈曲部分に穴Ｅを設けておく。そして、穴Ｅの上方に被験者の膝が配置されるように被験者に被写体台部３２上に着座させた状態で、上方や下方或いは斜め上方や斜め下方からＸ線撮影を行う。このように構成すれば、膝や脚部の動きを止めた状態で、被験者が楽に着座して撮影を行うことができる。その際、サポート治具等で被験者の脚部等を固定することは必要に応じて適宜行われる。
【０２３７】
なお、被写体載置装置３０の被写体台部３２を被験者の脚部の形状に凹ませて構成することもできる。凹み部分に脚部を載置すると、脚部が安定する。また、被写体台部３２を通常のクッション性を有する素材で構成し、Ｘ線の照射を行う部分を窓状にカーボン等のＸ線透過性に優れる物質で構成することも可能である。
【０２３８】
次に、小児や乳幼児の撮影においては、第１の撮影システム２００を用い、上記と同様に、ベッド型の被写体載置装置３０の被写体台部３２上に小児や乳幼児を仰向きやうつ伏せの状態で横臥させ或いは着座させて、サポート治具で撮影部位やその近辺を固定して動かない状態で撮影することができる。
【０２３９】
また、例えばＸ線画像撮影装置１や第２の撮影システム３００を用いる場合、図示を省略するが、被写体台１５を保育箱のように構成し、その中に乳幼児等を横臥、着座させてＸ線撮影を行うように構成することも可能である。
【０２４０】
また、図８、図９で示したように、被写体Ｈが被写体台に固定されていない状態で撮影を行う場合には、測距計２５によってＸ線管１０から被写体Ｈまでの距離を測定し、Ｒ１を得る。
ここで、測距計２５を用いて撮影を行う場合の手順について、図２９を参照しつつ説明する。
【０２４１】
この場合は、まず前提として、図１４で示したのと同様に、被写体情報等から選択される撮影条件が制御装置７１によって選択される。その後、測距計２５により被写体Ｈの位置（Ｘ線管１０からの距離）が測定（測距）される（ステップＳ１１）。制御装置７１は、測定（測距）された被写体Ｈの位置（Ｘ線管１０からの距離）が先に選択された撮影条件におけるＸ線管１０から被写体Ｈまでの距離Ｒ１とほぼ同じであるかを判断する（ステップＳ１２）。なお、どの程度の誤差までをほぼ同じと判断するかは予めデフォルトで定まっていてもよいし、撮影者等が任意に設定できてもよい。
【０２４２】
被写体Ｈの位置（Ｘ線管１０からの距離）が先に選択された撮影条件におけるＲ１と異なる場合（ステップＳ１２；ＮＯ）には、制御装置７１は、両者が異なる旨を表示部１６ｂ等に表示させて（ステップＳ１３）、現状の被写体位置を優先させるか否かの選択を行うように撮影者に促す。そして、制御装置７１は、現状を優先するようにとの指示が入力部１６ａから入力されたか否かを判断し（ステップＳ１４）、現状を優先する場合（ステップＳ１４；ＹＥＳ）には、測定（測距）された被写体位置に基づいて撮影条件を変更する（ステップＳ１５）。他方、現状を優先しない場合（ステップＳ１４；ＮＯ）には、制御装置７１は、被写体Ｈの位置を変更するように表示部１６ｂに表示を行い（ステップＳ１６）、撮影者に被写体Ｈの位置の移動を促す。そして、被写体Ｈの位置が移動すると、再度ステップＳ１１に戻って上記処理を繰り返す。
【０２４３】
被写体Ｈの位置（Ｘ線管１０からの距離）が先に選択された撮影条件におけるＲ１とほぼ同じである場合（ステップＳ１２；ＹＥＳ）、及び測定（測距）された被写体位置に基づいて撮影条件が変更された場合（ステップＳ１５）には、制御装置７１は、Ｘ線照射が可能である旨を表示部１６ｂに表示させて（ステップＳ１７）、Ｘ線照射ボタンを操作するように撮影者に促す。制御装置７１は、Ｘ線照射ボタンがＯＮされたか否かを判断し（ステップＳ１８）、Ｘ線照射ボタンがＯＮされるまで、Ｘ線照射が可能である旨を表示部１６ｂに表示させて（ステップＳ１７）、撮影者に入力指示を促す。他方、Ｘ線照射ボタンがＯＮされると（ステップＳ１８；ＹＥＳ）Ｘ線管１０からＸ線を照射するようにＸ線画像撮影装置１を制御する。これにより、Ｘ線管１０からＸ線が照射され（ステップＳ１９）、Ｘ線撮影が行われる。
【０２４４】
次に、Ｘ線撮影が行われると、撮影されたＸ線画像に所定の画像処理を施す。なお、位相コントラスト撮影で得たＸ線画像の画像処理については、特開２００２−１６２７０５号公報等において網羅的に示されているので、詳しくはそれを参照されたい。
そして、撮影により得られたＸ線画像（画像処理済みのＸ線画像）のデータと当該撮影の際の撮影条件情報がＸ線画像撮影装置１からコンソール７０送られ、コンソール７０の制御装置７１は、Ｘ線画像のデータ、撮影条件情報及び被写体情報を対応付ける。そして、相互に対応付けられたＸ線画像のデータ、撮影条件情報及び被写体情報は、ネットワーク８０を介してデータサーバ８２に送られ、相互に対応付けられた状態で記憶される。
【０２４５】
医師等が診断、読影等を行う際には、ビューワ８３によって、データの検索処理及びＸ線画像の表示処理が行われる。これらの処理は、ビューワ８３の制御と検索プログラム、表示プログラムとが協働することにより実現されるものである。以下、具体的に説明する。
図３０に示すように、医師等が診断、読影等を行う際には、まず、ビューワ８３の表示部に患者リストを表示させる（ステップＳ２１）。医師等によりこの患者リストの中から患者が選択されると、当該患者の選択がビューワ８３に入力される（ステップＳ２２）。
【０２４６】
ビューワ８３は、選択された患者の被写体ＩＤに基づいて、データサーバ８２内を検索し、Ｘ線画像と撮影条件情報を抽出する（ステップＳ２３）。Ｘ線画像と撮影条件情報が検索されると、ビューワ８３は、検索された１又は複数のＸ線画像と、終了を指示するボタンを表示部に表示させる（ステップＳ２４）。そして、ビューワ８３は、終了指示の入力があったか否かを判断する（ステップＳ２５）。そして、終了指示の入力があった場合（ステップＳ２５；ＹＥＳ）には、処理を終了し、なかった場合（ステップＳ２５；ＮＯ）には、ステップＳ２６に進む。ビューワ８３は、表示されたＸ線画像の中から特定のＸ線画像が選択されたか否かを判断し（ステップＳ２６）、いずれかのＸ線画像が選択されると（ステップＳ２６；ＹＥＳ）、さらに当該Ｘ線画像に対応する撮影条件情報を表示させるとの選択が入力されたか否かを判断する（ステップＳ２７）。撮影条件情報を表示させるとの選択が入力されると（ステップＳ２７；ＹＥＳ）、選択されたＸ線画像を撮影条件情報に基づいて適宜所望の大きさに変更し、拡大率や焦点径やＸ線管への挿入フィルタの種類やＸ線管の管電圧や管電流やＸ線照射時間などの撮影条件情報とともに所定の大きさで表示し、撮影条件情報の表示解除指示ボタンも表示させる（ステップＳ２８）。他方、撮影条件情報を表示させるとの選択が入力されない場合（ステップＳ２７；ＮＯ）には、選択されたＸ線画像を撮影条件情報に基づいて適宜所望の大きさに変更し、Ｘ線画像を所定の大きさで表示し、撮影条件情報の表示指示ボタンも表示させる（ステップＳ２９）。
【０２４７】
さらに、ビューワ８３は、戻る指示の入力があるか否かを判断し（ステップＳ３０）、戻る指示の入力があった場合（ステップＳ３０；ＹＥＳ）には、Ｓ２４に戻って処理を繰り返す。他方、戻る指示の入力がない場合（ステップＳ３０；ＮＯ）には、ステップＳ２７に戻る。
【０２４８】
以上のように、本実施形態に係るＸ線画像撮影装置１及びＸ線画像撮影システム１００によれば、複数の異なる拡大率による拡大撮影ができるＸ線画像撮影装置１で、撮影条件情報により決まる拡大率の拡大撮影をして、得られたＸ線画像のデータと、この撮影条件情報とを対応付けて保存するので、得られたＸ線画像が、どのような拡大率で撮影されたものであるかが分かる。これにより、医師等が診断を行う際に、疾患部分等の大きさを正確に把握することができ、的確な診断を行うことができる。
【０２４９】
また、撮影部位等、被写体Ｈに関する被写体情報に応じて適切な条件で拡大撮影することができるので、撮影部位等、被写体Ｈに応じて適切な撮影方法で撮影することができる。
【０２５０】
また、被写体Ｈの位置を測定する測距計２５を備えているので、被写体台１５に被写体Ｈを固定せずに撮影を行う場合等、被写体位置が予め確定しない状態で拡大撮影した場合でも、当該撮影における拡大率を特定可能な撮影条件情報を出力することができる。
【０２５１】
また、Ｘ線管１０やＸ線検出器１３を支持基軸４周りに回動自在とし、Ｘ線管１０と被写体台１５との距離Ｒ１や被写体台１５とＸ線検出器１３との距離Ｒ２、Ｘ線管１０とＸ線検出器１３との距離Ｒをそれぞれ可変とすることで、Ｘ線画像撮影装置１を構成する各部材の稼動範囲が大きくなる。そのため、被験者が撮影の際に無理な姿勢をとる必要がなくなり、無理をかけず自然な姿勢で起立し、着座し、横臥する被験者に対して適切にＸ線撮影を行うことが可能となる。
【０２５２】
また、Ｘ線管１０の焦点径が、密着撮影用の３００〜２０００μｍの範囲内と、位相コントラスト撮影用の１０〜３００μｍの範囲内でそれぞれ設定できるようになっているため、１台のＸ線画像撮影装置１や１組の撮影システム２００、３００で、密着撮影と位相コントラスト撮影を適宜切り換えて行うことが可能となり、撮影者にとっても被験者にとっても非常に便利な装置及びシステムとなる。
【０２５３】
さらに、Ｘ線画像撮影装置１と、ベッド型に形成された被写体載置装置３０とで第１の撮影システム２００を構成することで、被験者が被写体載置装置３０の被写体台部３２に着座し、横臥した状態でＸ線撮影を行うことが可能となるため、上記の効果がより効果的に発揮される。
【０２５４】
また、Ｘ線画像撮影装置１のＸ線管１０から照射し、被写体Ｈを透過させたＸ線を、Ｘ線画像撮影装置１に備えられたＸ線検出器１３とは別のＸ線検出器５０に照射して検出するように第１の撮影システム２００を構成することで、例えばＸ線画像撮影装置１の構成上、或いはＸ線画像撮影装置１を設置する設置スペースの構成上、Ｘ線画像撮影装置１に備えられたＸ線検出器１３で被写体Ｈを透過したＸ線を検出できない場合でも、別のＸ線検出器５０を設置してそれに照射することで、Ｘ線画像撮影装置１単独の場合と同様に別のＸ線検出器５０で的確にＸ線を受光して検出することが可能となり、この第１の撮影システム２００によって、上記とＸ線画像撮影装置１と全く同様の効果を得ることが可能となる。
【０２５５】
なお、本実施形態においては、Ｘ線検出器１３としてＦＰＤを用いる場合を例として説明したが、Ｘ線検出器１３はＦＰＤに限定されない。例えばＸ線検出器１３として輝尽性蛍光体シートを用いた場合には、コンソール７０にはＩ／Ｆ７２を介して輝尽性蛍光体シートからＸ線画像情報を読み取る読取装置が接続される。
【０２５６】
その他、本発明が上記実施形態に限らず適宜変更可能であるのは勿論である。
【図面の簡単な説明】
【０２５７】
【図１】本実施形態に係るＸ線画像撮影システムの制御構成を示すブロック図である。
【図２】（Ａ）通常のＸ線撮影すなわち密着撮影の例を示す図であり、（Ｂ）位相コントラスト撮影の例を示す図である。
【図３】本実施形態に係るＸ線画像撮影装置の構成例の正面図である。
【図４】本実施形態に係るＸ線画像撮影装置の構成例の側面図である。
【図５】Ｘ線管と被写体台との距離、被写体台とＸ線検出器との距離、及びＸ線管とＸ線検出器との距離を説明する図である。
【図６】Ｘ線検出器の構成例及びグリッドを示す図である。
【図７】検出器保持台に設けられたグリッド、第一挿入部及び第二挿入部を示す模式断面図である。
【図８】被写体台に固定されていない被写体を撮影する状態を説明する図である。
【図９】被写体台に固定されていない被写体を撮影する状態を説明する図である。
【図１０】位相コントラスト撮影の原理を説明する図であり、（Ａ）は被写体のエッジ部分で屈折されるＸ線、（Ｂ）は被写体のエッジ部分で強く検出されるＸ線強度を説明する図である。
【図１１】本実施形態に係る第１のＸ線画像撮影システムの構成を示す図である。
【図１２】被写体載置装置の構成を説明する斜視図である。
【図１３】本実施形態に係る第２のＸ線画像撮影システムの構成を示す図である。
【図１４】本実施形態におけるＸ線撮影の流れを説明するフローチャートである。
【図１５】トモシンセシス撮影の手法を説明する図である。
【図１６】被写体台に配置されるマグネットを示す図である。
【図１７】被写体台に配置される腕保持部を示す図である。
【図１８】被験者の手首等を固定するバンドを示す図である。
【図１９】（Ａ）曲げた状態で載置される肘を示す図であり、（Ｂ）伸ばした状態で載置される肘を示す図である。
【図２０】Ｘ線管やＸ線検出器等が横方向に配置されたＸ線画像撮影装置を示す図であり、（Ａ）は正面図、（Ｂ）は被写体を含む平面図である。
【図２１】（Ａ）肩の撮影に使われる１組のサポート治具の例を示す図であり、（Ｂ）サポート治具を用いて肩の撮影を行う例を示す図である。
【図２２】被写体を斜め上方から撮影する状態を説明する図である。
【図２３】被写体を斜め下方から撮影する状態を説明する図である。
【図２４】被験者の脚部の撮影を行う場合の例を示す図である。
【図２５】足首等を固定するサポート治具の例を示す図である。
【図２６】（Ａ）図２８のサポート治具と組み合わせて用いるバンドを示す図であり、（Ｂ）図２８のサポート治具に設けられた翼片部を示す図である。
【図２７】被験者の脚部を覆い膝の部分の開口が設けられたサポート治具を示す図である。
【図２８】先端部分が屈曲され穴が設けられた被写体載置装置の被写体台部を示す図である。
【図２９】被写体の位置を測距して撮影を行う場合のＸ線撮影の流れを説明するフローチャートである。
【図３０】本実施形態においてデータを検索しビューワに表示させる処理の流れを説明するフローチャートである。
【符号の説明】
【０２５８】
１    Ｘ線画像撮影装置
３    支持基部
４    支持基軸
６    第一アーム
７    第二アーム
８    第一支持軸
１０  Ｘ線管
１２  第二支持軸
１３  Ｘ線検出器
１５  被写体台
１６  操作装置
１６ａ  入力部
１６ｂ  表示部
２５  測距計
３０  被写体載置装置
５０  別のＸ線検出器
７０  コンソール
７１  制御装置
７２  Ｉ／Ｆ
７３  ネットワーク通信部
８０  ネットワーク
８１  ＨＩＳ／ＲＩＳサーバ
８２  データサーバ
８３  ビューワ
１００  Ｘ線画像撮影システム
２００  第１の撮影システム
３００  第２の撮影システム
Ｈ    被写体
Ｒ１  Ｘ線管と被写体台との距離
Ｒ２  被写体台とＸ線検出器との距離
Ｒ    Ｘ線管とＸ線検出器との距離
【図１】
2008259693.tif 000006
【図２】
2008259693.tif 000007
【図３】
2008259693.tif 000008
【図４】
2008259693.tif 000009
【図５】
2008259693.tif 000010
【図６】
2008259693.tif 000011
【図７】
2008259693.tif 000012
【図８】
2008259693.tif 000013
【図９】
2008259693.tif 000014
【図１０】
2008259693.tif 000015
【図１１】
2008259693.tif 000016
【図１２】
2008259693.tif 000017
【図１３】
2008259693.tif 000018
【図１４】
2008259693.tif 000019
【図１５】
2008259693.tif 000020
【図１６】
2008259693.tif 000021
【図１７】
2008259693.tif 000022
【図１８】
2008259693.tif 000023
【図１９】
2008259693.tif 000024
【図２０】
2008259693.tif 000025
【図２１】
2008259693.tif 000026
【図２２】
2008259693.tif 000027
【図２３】
2008259693.tif 000028
【図２４】
2008259693.tif 000029
【図２５】
2008259693.tif 000030
【図２６】
2008259693.tif 000031
【図２７】
2008259693.tif 000032
【図２８】
2008259693.tif 000033
【図２９】
2008259693.tif 000034
【図３０】
2008259693.tif 000035